(57)【要約】  本願の実施例は、情報伝送方法、デバイス及びコンピュータ記憶媒体を開示し、この方法は、端末のＰＣ５インターフェースに関する通信能力情報を含む第１のメッセージをネットワークデバイスに送信することを含む。
2021530923.tif 000002
【特許請求の範囲】
【請求項１】
端末に応用される情報伝送方法であって、
端末のＰＣ５インターフェースに関する通信能力情報を含む第１のメッセージをネットワークデバイスに送信することを含む
ことを特徴とする情報伝送方法。
【請求項２】
前記端末のＰＣ５インターフェースに関する通信能力情報は、前記端末がサポートする第１のネットワークデバイス制御下のＰＣ５インターフェースの通信能力と前記端末がサポートする第２のネットワークデバイス制御下のＰＣ５インターフェースの通信能力との組合せを含み、前記第１のネットワークデバイスと前記第２のネットワークデバイスがデュアル接続アーキテクチャで接続される
ことを特徴とする請求項１に記載の情報伝送方法。
【請求項３】
前記第１のネットワークデバイスと前記第２のネットワークデバイスとは、互いに同期される
ことを特徴とする請求項２に記載の情報伝送方法。
【請求項４】
前記第１のネットワークデバイスと前記第２のネットワークデバイスとは、互いに同期されない
ことを特徴とする請求項２に記載の情報伝送方法。
【請求項５】
前記第１のネットワークデバイスと前記第２のネットワークデバイスのアクセスタイプは、ＬＴＥである
ことを特徴とする請求項２に記載の情報伝送方法。
【請求項６】
前記第１のネットワークデバイスと前記第２のネットワークデバイスのアクセスタイプは、ＮＲである
ことを特徴とする請求項２に記載の情報伝送方法。
【請求項７】
前記第１のネットワークデバイスのアクセスタイプがＬＴＥであり、前記第２のネットワークデバイスのアクセスタイプがＮＲである
ことを特徴とする請求項２に記載の情報伝送方法。
【請求項８】
前記端末のＰＣ５インターフェースに関する通信能力情報は、前記ＰＣ５インターフェースのアクセスタイプを示す第１の指示情報、及び／又は、前記ＰＣ５インターフェースを制御することができるＵｕインターフェースアクセスタイプを示す第２の指示情報を含む
ことを特徴とする請求項１に記載の情報伝送方法。
【請求項９】
前記第１のメッセージに含まれる前記端末のＰＣ５インターフェースに関する通信能力情報のうち、前記ＰＣ５インターフェースがロングタームエボリューションＬＴＥに対する通信能力は、第１のシグナリングに搬送される
ことを特徴とする請求項１に記載の情報伝送方法。
【請求項１０】
前記第１のメッセージに含まれる前記端末のＰＣ５インターフェースに関する通信能力情報のうち、前記ＰＣ５インターフェースがニューラジオＮＲに対する通信能力は、第２のシグナリングに搬送される
ことを特徴とする請求項１に記載の情報伝送方法。
【請求項１１】
前記第１のメッセージに含まれる前記端末のＰＣ５インターフェースに関する通信能力情報のうち、前記ＰＣ５インターフェースがＬＴＥとＮＲのデュアル接続ＤＣに対する通信能力は、第３のシグナリングに搬送される
ことを特徴とする請求項１に記載の情報伝送方法。
【請求項１２】
前記第１のメッセージに含まれる前記端末のＰＣ５インターフェースに関する通信能力情報のうち、前記ＰＣ５インターフェースがＬＴＥとＬＴＥのデュアル接続に対する通信組合せは、第１のシグナリングに搬送される
ことを特徴とする請求項１に記載の情報伝送方法。
【請求項１３】
前記第１のメッセージに含まれる前記端末のＰＣ５インターフェースに関する通信能力情報のうち、前記ＰＣ５インターフェースがＬＴＥとＬＴＥのデュアル接続に対する通信能力組合せは、第３のシグナリングに搬送される
ことを特徴とする請求項１に記載の情報伝送方法。
【請求項１４】
前記第１のメッセージに含まれる前記端末のＰＣ５インターフェースに関する通信能力情報のうち、前記ＰＣ５インターフェースがＬＴＥとＬＴＥのデュアル接続に対する通信能力組合せは、第４のシグナリングに搬送される
ことを特徴とする請求項１に記載の情報伝送方法。
【請求項１５】
前記第１のメッセージに含まれる前記端末のＰＣ５インターフェースに関する通信能力情報のうち、前記ＰＣ５インターフェースがＮＲとＮＲのデュアル接続に対する通信能力組合せは、第２のシグナリングに搬送される
ことを特徴とする請求項１に記載の情報伝送方法。
【請求項１６】
前記第１のメッセージに含まれる前記端末のＰＣ５インターフェースに関する通信能力情報のうち、前記ＰＣ５インターフェースがＮＲとＮＲのデュアル接続に対する通信能力組合せは、第３のシグナリングに搬送される
ことを特徴とする請求項１に記載の情報伝送方法。
【請求項１７】
前記第１のメッセージに含まれる前記端末のＰＣ５インターフェースに関する通信能力情報のうち、前記ＰＣ５インターフェースがＮＲとＮＲのデュアル接続に対する通信能力組合せは、第５のシグナリングに搬送される
ことを特徴とする請求項１に記載の情報伝送方法。
【請求項１８】
前記第１のシグナリングは、
ＬＴＥ−Ｕｕインターフェースにより制御されアクセスタイプがＬＴＥであるＰＣ５インターフェースＬＴＥ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む
ことを特徴とする請求項９又は１２に記載の情報伝送方法。
【請求項１９】
前記第２のシグナリングは、
ＮＲ−Ｕｕインターフェースにより制御されアクセスタイプがＮＲであるＰＣ５インターフェースＮＲ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む
ことを特徴とする請求項１０又は１５に記載の情報伝送方法。
【請求項２０】
前記第３のシグナリングは、
ＬＴＥ−Ｕｕインターフェース通信能力情報、
ＮＲ−Ｕｕインターフェース通信能力情報、
ＮＲ−Ｕｕインターフェースにより制御されアクセスタイプがＮＲであるＰＣ５インターフェースＮＲ−ＰＣ５の通信能力情報、
ＬＴＥ−Ｕｕインターフェースにより制御されアクセスタイプがＬＴＥであるＰＣ５インターフェースＬＴＥ−ＰＣ５の通信能力情報、
ＮＲ−Ｕｕインターフェースにより制御されアクセスタイプがＬＴＥであるＰＣ５インターフェースＬＴＥ−ＰＣ５の通信能力情報、
ＬＴＥ−Ｕｕインターフェースにより制御されアクセスタイプがＮＲであるＰＣ５インターフェースＮＲ−ＰＣ５の通信能力情報のうちの少なくとも２つの通信能力情報の組合せを含む
ことを特徴とする請求項１１、１３又は１６のいずれか１項に記載の情報伝送方法。
【請求項２１】
前記第３のシグナリングが通信能力を示す識別子情報をさらに含み、前記通信能力の識別子情報が前記第１のシグナリング及び／又は第２のシグナリングに定義される通信能力情報を示す
ことを特徴とする請求項２０に記載の情報伝送方法。
【請求項２２】
前記第３のシグナリングは、さらに、端末デバイスが互いに同期されるＬＴＥ−ＵｕとＮＲ−Ｕｕのデュアル接続アーキテクチャをサポートすることを指示する識別子情報を含む
ことを特徴とする請求項２０に記載の情報伝送方法。
【請求項２３】
前記第３のシグナリングは、さらに、端末デバイスが互いに同期されないＬＴＥ−ＵｕとＮＲ−Ｕｕのデュアル接続アーキテクチャをサポートすることを指示する識別子情報を含む
ことを特徴とする請求項２０に記載の情報伝送方法。
【請求項２４】
前記ＰＣ５インターフェースがＬＴＥとＬＴＥのデュアル接続に対する通信能力は、端末デバイスが互いに同期されるＬＴＥ−ＵｕとＬＴＥ−Ｕｕのデュアル接続アーキテクチャをサポートすることを指示する識別子情報を含む
ことを特徴とする請求項１〜２３のいずれか１項に記載の情報伝送方法。
【請求項２５】
前記ＰＣ５インターフェースがＬＴＥとＬＴＥのデュアル接続に対する通信能力は、端末デバイスが互いに同期されないＬＴＥ−ＵｕとＬＴＥ−Ｕｕのデュアル接続アーキテクチャをサポートすることを指示する識別子情報を含む
ことを特徴とする請求項１〜２３のいずれか１項に記載の情報伝送方法。
【請求項２６】
前記ＰＣ５インターフェースがＮＲとＮＲのデュアル接続に対する通信能力は、端末デバイスが互いに同期されるＮＲ−ＵｕとＮＲ−Ｕｕのデュアル接続アーキテクチャをサポートすることを指示する識別子情報を含む
ことを特徴とする請求項１〜２５のいずれか１項に記載の情報伝送方法。
【請求項２７】
前記ＰＣ５インターフェースがＮＲとＮＲのデュアル接続に対する通信能力は、端末デバイスが互いに同期されないＮＲ−ＵｕとＮＲ−Ｕｕのデュアル接続アーキテクチャをサポートすることを指示する識別子情報を含む
ことを特徴とする請求項１〜２５のいずれか１項に記載の情報伝送方法。
【請求項２８】
前記ネットワークデバイスに第１のメッセージを送信することは、
少なくとも２つのネットワークデバイスのうちの１つの目標ネットワークデバイスに前記第１のシグナリング、前記第２のシグナリング及び前記第３のシグナリングを送信することを含む
ことを特徴とする請求項９〜２７のいずれか１項に記載の情報伝送方法。
【請求項２９】
前記ネットワークデバイスに第１のメッセージを送信することは、
アクセスタイプがＬＴＥである第１のネットワークデバイスに前記第１のシグナリングを送信することと、
アクセスタイプがＮＲである第２のネットワークデバイスに前記第２のシグナリングを送信することと、
前記第１のネットワークデバイス又は第２のネットワークデバイスに前記第３のシグナリングを送信することとを含む
ことを特徴とする請求項９〜２７のいずれか１項に記載の情報伝送方法。
【請求項３０】
前記ネットワークデバイスに第１のメッセージを送信することは、
第１のネットワークデバイス及び／又は第２のネットワークデバイスに、前記ＰＣ５インターフェースがＬＴＥとＬＴＥのデュアル接続に対する通信組合せを送信することを含み、前記第１の及び第２のネットワークデバイスがＬＴＥとＬＴＥのデュアル接続アーキテクチャを構成する
ことを特徴とする請求項９〜２７のいずれか１項に記載の情報伝送方法。
【請求項３１】
前記ネットワークデバイスに第１のメッセージを送信することは、
第１のネットワークデバイス及び／又は第２のネットワークデバイスに、前記ＰＣ５インターフェースがＮＲとＮＲのデュアル接続に対応する通信組合せを送信することを含み、前記第１の及び第２のネットワークデバイスがＮＲとＮＲのデュアル接続アーキテクチャを構成する
ことを特徴とする請求項９〜２７のいずれか１項に記載の情報伝送方法。
【請求項３２】
前記方法は、さらに、前記ネットワークデバイスにより送信された第２のメッセージを受信することを含み、前記第２のメッセージは、前記端末が前記ネットワークデバイス制御下で使用するＰＣ５インターフェースの通信能力を示す
ことを特徴とする請求項１〜３１のいずれか１項に記載の情報伝送方法。
【請求項３３】
前記方法は、さらに、ネットワークデバイスに第１のメッセージを送信する前に、前記ネットワークデバイスにより送信された第３のメッセージを受信することを含み、前記第３のメッセージは、前記ネットワークデバイスが制御するＰＣ５インターフェースの通信能力を示す
ことを特徴とする請求項１〜３１のいずれか１項に記載の情報伝送方法。
【請求項３４】
前記ネットワークデバイスが制御するＰＣ５インターフェースの通信能力は、前記ネットワークデバイスが制御するＰＣ５インターフェースの無線アクセスタイプＲＡＴを含む
ことを特徴とする請求項３３に記載の情報伝送方法。
【請求項３５】
前記方法は、さらに、
端末が前記第３のメッセージに基づいて、
ＬＴＥ−Ｕｕインターフェースにより制御されアクセスタイプがＬＴＥであるＰＣ５インターフェースＬＴＥ−ＰＣ５の通信能力情報、
ＮＲ−Ｕｕインターフェースにより制御されアクセスタイプがＬＴＥであるＰＣ５インターフェースＬＴＥ−ＰＣ５の通信能力情報、
ＬＴＥ−Ｕｕインターフェースにより制御されアクセスタイプがＮＲであるＰＣ５インターフェースＮＲ−ＰＣ５の通信能力情報、
ＮＲ−Ｕｕインターフェースにより制御されアクセスタイプがＮＲであるＰＣ５インターフェースＮＲ−ＰＣ５の通信能力情報のうちの少なくとも１つを報告するかどうかを決定することを含む
ことを特徴とする請求項３３又は３４に記載の情報伝送方法。
【請求項３６】
前記方法は、さらに、
前記第２のメッセージに示す、端末が前記ネットワークデバイス制御下で使用するＰＣ５インターフェースの通信能力に基づいて、前記端末が使用するＰＣ５インターフェースの通信能力を決定することを含む
ことを特徴とする請求項３２に記載の情報伝送方法。
【請求項３７】
前記方法は、さらに、前記ネットワークデバイスに第１のメッセージを送信する前に、前記端末が使用するＰＣ５インターフェースの通信能力を自ら決定することを含む
ことを特徴とする請求項１〜３１のいずれか１項に記載の情報伝送方法。
【請求項３８】
前記端末が使用するＰＣ５インターフェースの通信能力情報は、
前記端末が前記ネットワークデバイス以外の他のネットワークデバイスに報告する必要があるＰＣ５インターフェースに関する通信能力情報、
及び／又は、前記端末が前記ネットワークデバイス制御以外で使用するＰＣ５インターフェースの通信能力を含む
ことを特徴とする請求項３６又は３７に記載の情報伝送方法。
【請求項３９】
前記ネットワークデバイス制御下のＰＣ５インターフェースの通信優先度は、前記端末が前記ネットワークデバイス制御以外で使用するＰＣ５インターフェースの通信よりも高い
ことを特徴とする請求項３８に記載の情報伝送方法。
【請求項４０】
ネットワークデバイスに応用される情報伝送方法であって、
端末により送信された、前記端末のＰＣ５インターフェースに関する通信能力情報を含む第１のメッセージを受信することと、
前記端末が前記ネットワークデバイス制御下で使用するＰＣ５インターフェースの通信能力を示す第２のメッセージを、前記端末に送信することとを含む
ことを特徴とする情報伝送方法。
【請求項４１】
前記第１のメッセージが第１のシグナリング、第２のシグナリング及び第３のシグナリングを含み、前記ＰＣ５インターフェースがロングタームエボリューションＬＴＥに対する通信能力が第１のシグナリングに搬送され、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される
ことを特徴とする請求項４０に記載の情報伝送方法。
【請求項４２】
前記ネットワークデバイスのアクセスタイプがＬＴＥである場合、前記第１のメッセージが第１のシグナリング及び第３のシグナリングを含み、前記ＰＣ５インターフェースがロングタームエボリューションＬＴＥに対する通信能力が第１のシグナリングに搬送され、前記ＰＣ５インターフェースがＬＴＥとＮＲのデュアル接続ＤＣに対する通信能力は、第３のシグナリングに搬送される
ことを特徴とする請求項４０に記載の情報伝送方法。
【請求項４３】
前記ネットワークデバイスのアクセスタイプがＮＲである場合、前記第１のメッセージが第２のシグナリング及び第３のシグナリングを含み、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される
ことを特徴とする請求項４０に記載の情報伝送方法。
【請求項４４】
前記端末により送信された第１のメッセージを受信した後、前記方法は、さらに、前記ネットワークデバイス以外の他のネットワークデバイスに第１の指示メッセージを送信することを含み、前記第１の指示メッセージは、前記ネットワークデバイスと前記他のネットワークデバイスとがデュアル接続ＤＣアーキテクチャで接続される場合、前記端末が前記他のネットワークデバイス制御下で使用することができるＰＣ５インターフェースの通信能力情報を示す
ことを特徴とする請求項４１〜４３のいずれか１項に記載の情報伝送方法。
【請求項４５】
前記端末により送信された第１のメッセージを受信した後、前記方法は、さらに、前記ネットワークデバイス以外の他のネットワークデバイスに第１の指示メッセージを送信することを含み、前記第１の指示メッセージは、前記端末が前記他のネットワークデバイス制御下で使用することができるＰＣ５インターフェースの通信能力情報を示す
ことを特徴とする請求項４１〜４３のいずれか１項に記載の情報伝送方法。
【請求項４６】
前記ネットワークデバイスのアクセスタイプがＬＴＥである場合、前記第１のメッセージが第１のシグナリングを含み、前記ＰＣ５インターフェースがロングタームエボリューションＬＴＥに対する通信能力が第１のシグナリングに搬送される
ことを特徴とする請求項４０に記載の情報伝送方法。
【請求項４７】
前記ネットワークデバイスのアクセスタイプがＮＲである場合、前記第１のメッセージが第２のシグナリングを含み、前記ＰＣ５インターフェースがニューラジオＮＲに対する通信能力が第２のシグナリングに搬送される
ことを特徴とする請求項４０に記載の情報伝送方法。
【請求項４８】
前記方法は、さらに、
前記ネットワークデバイス以外の他のネットワークデバイスにより送信された第２の指示メッセージを受信することを含み、前記第２の指示メッセージは、前記ネットワークデバイスと前記他のネットワークデバイスとがデュアル接続ＤＣアーキテクチャで接続される場合、前記端末が前記ネットワークデバイス制御下で使用することができるＰＣ５インターフェースの通信能力情報を示す
ことを特徴とする請求項４６又は４７に記載の情報伝送方法。
【請求項４９】
前記ネットワークデバイス以外の他のネットワークデバイスが存在しない場合、前記方法は、さらに、
前記ネットワークデバイスのアクセスタイプがＬＴＥである場合、前記第１のシグナリングから、前記端末が前記ネットワークデバイス制御下で使用するＰＣ５インターフェースの通信能力を決定することを含み、
前記第１のシグナリングは、ＬＴＥ−Ｕｕインターフェースにより制御されアクセスタイプがＬＴＥであるＰＣ５インターフェースＬＴＥ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む
ことを特徴とする請求項４６に記載の情報伝送方法。
【請求項５０】
前記ネットワークデバイス以外の他のネットワークデバイスが存在しない場合、前記方法は、さらに、前記ネットワークデバイスのアクセスタイプがＮＲである場合、前記第２のシグナリングから、前記端末が前記ネットワークデバイス制御下で使用するＰＣ５インターフェースの通信能力を決定することを含み、
前記第２のシグナリングは、ＮＲ−Ｕｕインターフェースにより制御されアクセスタイプがＮＲであるＰＣ５インターフェースＮＲ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む
ことを特徴とする請求項４７に記載の情報伝送方法。
【請求項５１】
第１のネットワークデバイスが、端末が使用することができるＰＣ５インターフェースの通信能力情報を示す第１のメッセージを、第２のネットワークデバイスに送信することを含む
ことを特徴とする情報伝送方法。
【請求項５２】
前記第１のメッセージが端末が使用することができるＰＣ５インターフェースの通信能力情報を示すことは、
前記第１のメッセージが、前記端末が第２のネットワークデバイス制御下で使用することができるＰＣ５インターフェースの通信能力情報を示すことを含む
ことを特徴とする請求項５１に記載の情報伝送方法。
【請求項５３】
前記第１のメッセージが第１のシグナリング、第２のシグナリング及び第３のシグナリングを含み、前記ＰＣ５インターフェースがロングタームエボリューションＬＴＥに対する通信能力が第１のシグナリングに搬送され、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される
ことを特徴とする請求項５１に記載の情報伝送方法。
【請求項５４】
前記第２のネットワークデバイスのアクセスタイプがＬＴＥである場合、前記第１のメッセージが第１のシグナリング及び第３のシグナリングを含み、前記ＰＣ５インターフェースがロングタームエボリューションＬＴＥに対する通信能力が第１のシグナリングに搬送され、前記ＰＣ５インターフェースがＬＴＥとＮＲのデュアル接続ＤＣに対する通信能力は、第３のシグナリングに搬送される
ことを特徴とする請求項５１に記載の情報伝送方法。
【請求項５５】
前記第２のネットワークデバイスのアクセスタイプがＮＲである場合、前記第１のメッセージが第２のシグナリング及び第３のシグナリングを含み、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される
ことを特徴とする請求項５１に記載の情報伝送方法。
【請求項５６】
前記第２のネットワークデバイスのアクセスタイプがＬＴＥである場合、前記第１のメッセージが第１のシグナリングを含み、前記ＰＣ５インターフェースがロングタームエボリューションＬＴＥに対する通信能力が第１のシグナリングに搬送される
ことを特徴とする請求項５１に記載の情報伝送方法。
【請求項５７】
前記第２のネットワークデバイスのアクセスタイプがＮＲである場合、前記第１のメッセージが第２のシグナリングを含み、前記ＰＣ５インターフェースがニューラジオＮＲに対する通信能力が第２のシグナリングに搬送される
ことを特徴とする請求項５１に記載の情報伝送方法。
【請求項５８】
前記方法は、さらに、前記第１のネットワークデバイスが前記第２のネットワークデバイスに、前記端末の前記第１のネットワークデバイス下のＰＣ５構成情報を送信することを含む
ことを特徴とする請求項５１に記載の情報伝送方法。
【請求項５９】
前記方法は、さらに、前記第１のネットワークデバイスが前記第２のネットワークデバイスに、前記端末が前記第１のネットワークデバイス下で報告するＰＣ５通信要求情報を送信することを含む
ことを特徴とする請求項５１に記載の情報伝送方法。
【請求項６０】
前記第１のネットワークデバイスと前記第２のネットワークデバイスとがデュアル接続ＤＣアーキテクチャで接続される
ことを特徴とする請求項５１〜５９のいずれか１項に記載の情報伝送方法。
【請求項６１】
前記端末が前記第１のネットワークデバイスから前記第２のネットワークデバイスに切替える場合、前記第１のネットワークデバイスが第２のネットワークデバイスに前記第１のメッセージを送信する
ことを特徴とする請求項５１〜６０のいずれか１項に記載の情報伝送方法。
【請求項６２】
第２のネットワークデバイスが第１のネットワークデバイスにより送信された、端末が使用することができるＰＣ５インターフェースの通信能力情報を示す第１のメッセージを受信することを含む
ことを特徴とする情報伝送方法。
【請求項６３】
前記第１のメッセージが端末が使用することができるＰＣ５インターフェースの通信能力情報を示すことは、
前記第１のメッセージが、前記端末が第２のネットワークデバイス制御下で使用することができるＰＣ５インターフェースの通信能力情報を示すことを含む
ことを特徴とする請求項６２に記載の情報伝送方法。
【請求項６４】
前記第２のネットワークデバイスのアクセスタイプがＬＴＥである場合、前記第１のメッセージが第１のシグナリングを含み、前記ＰＣ５インターフェースがロングタームエボリューションＬＴＥに対する通信能力が第１のシグナリングに搬送される
ことを特徴とする請求項６２に記載の情報伝送方法。
【請求項６５】
前記第２のネットワークデバイスのアクセスタイプがＮＲである場合、前記第１のメッセージが第２のシグナリングを含み、前記ＰＣ５インターフェースがニューラジオＮＲに対する通信能力が第２のシグナリングに搬送される
ことを特徴とする請求項６２に記載の情報伝送方法。
【請求項６６】
前記方法は、さらに、前記第２のネットワークデバイスが、前記第２のネットワークデバイスのアクセスタイプがＬＴＥである場合、前記第１のシグナリングから、前記端末が前記第２のネットワークデバイス制御下で使用するＰＣ５インターフェースの通信能力を決定することを含み、
前記第１のシグナリングは、ＬＴＥ−Ｕｕインターフェースにより制御されアクセスタイプがＬＴＥであるＰＣ５インターフェースＬＴＥ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む
ことを特徴とする請求項６４に記載の情報伝送方法。
【請求項６７】
前記方法は、さらに、前記第２のネットワークデバイスが、前記第２のネットワークデバイスのアクセスタイプがＮＲである場合、前記第２のシグナリングから、前記端末が前記第２のネットワークデバイス制御に使用するＰＣ５インターフェースの通信能力を決定することを含み、
前記第２のシグナリングは、ＮＲ−Ｕｕインターフェースにより制御されアクセスタイプがＮＲであるＰＣ５インターフェースＮＲ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む
ことを特徴とする請求項６５に記載の情報伝送方法。
【請求項６８】
前記第１のネットワークデバイスと前記第２のネットワークデバイスとがデュアル接続ＤＣアーキテクチャで接続される
ことを特徴とする請求項６２〜６７のいずれか１項に記載の情報伝送方法。
【請求項６９】
前記端末が前記第１のネットワークデバイスから前記第２のネットワークデバイスに切替える場合、前記第２のネットワークデバイスが前記第１のネットワークデバイスにより送信された第１のメッセージを受信することを含む
ことを特徴とする請求項６２〜６７のいずれか１項に記載の情報伝送方法。
【請求項７０】
第１のネットワークインターフェースと、第１のメモリと、第１のプロセッサとを有する端末であって、
前記第１のネットワークインターフェースは、他の外部ネットワーク要素との間で情報を送受信する際に信号を送受信するように構成され、前記第１のメモリは、前記第１のプロセッサ上で実行可能なコンピュータプログラムを記憶するように構成され、前記第１のプロセッサは、前記コンピュータプログラムを実行する際に、請求項１〜３９のいずれか１項に記載の方法のステップを実行するように構成される
ことを特徴とする端末。
【請求項７１】
第２のネットワークインターフェースと、第２のメモリと、第２のプロセッサとを有するネットワークデバイスであって、
前記第２のネットワークインターフェースは、他の外部ネットワーク要素との間で情報を送受信する際に信号を送受信するように構成され、前記第２のメモリは、前記第２のプロセッサ上で実行可能なコンピュータプログラムを記憶するように構成され、前記第２のプロセッサは、前記コンピュータプログラムを実行する際に、請求項４０〜５０、５１〜６１、又は６２〜６９のいずれか１項に記載の方法のステップを実行するように構成される
ことを特徴とするネットワークデバイス。
【請求項７２】
少なくとも１つのプロセッサによって実行されると、請求項１〜３９、４０〜５０、５１〜６１、または６２〜６９のいずれか１項に記載の情報伝送方法のステップを実現する、情報伝送プログラムを記憶している
ことを特徴とするコンピュータ記憶媒体。
【発明の詳細な説明】
【技術分野】
【０００１】
本願は、無線通信技術分野に関し、特に、情報伝送方法、デバイス及びコンピュータ記憶媒体に関する。
【背景技術】
【０００２】
車両インターネットシステムは、ロングタームエボリューション( ＬＴＥ、Ｌｏｎｇ Ｔｅｒｍ Ｅｖｏｌｕｔｉｏｎ ) -デバイスツーデバイス( Ｄ２Ｄ、Ｄｅｖｉｃｅ ｔｏ Ｄｅｖｉｃｅ )に基づくサイドリンク( ＳＬ、Ｓｉｄｅｌｉｎｋ )伝送技術を採用し、従来のＬＴＥシステムにおいて通信データが基地局を介して受信又は送信される方式とは異なり、車両インターネットシステムにおける端末間は、ＰＣ５インターフェース(端末との間のインターフェース)、すなわちサイドリンクＳLを介して直接通信し、より高いスペクトル効率及びより低い伝送遅延を有する。
【０００３】
３ＧＰＰ(ｔｈｅ  ３ｒｄ Ｇｅｎｅｒａｔｉｏｎ Ｐａｒｔｎｅｒｓｈｉｐ Ｐｒｏｊｅｃｔ ) Ｒｅｌ−１４では、車両インターネット技術( Ｖ２Ｘ、Ｖｅｈｉｃｌｅ−ｔｏ−Ｅｖｅｒｙｔｈｉｎｇ )が標準化されており、主な標準化内容はシングルキャリア伝送である。３ＧＰＰプロジェクトが継続的に進化しているため、３ＧＰＰプロトコルの標準リリースもＲｅｌ−１４からＲｅｌ−１５に進化し、Ｒｅｌ−１６に進化している。したがって、Ｒｅｌ−１５リリースでは、ｅＶ２ｘは、マルチキャリアシナリオに拡張し、すなわち、１つのＵＥが、２つ以上のキャリア上で同時に送受信を行うことができる。Ｒｅｌ−１６リリースでは、Ｖ２ｘのシナリオは、異なるアクセスシステムｉｎｔｅｒ−ＲＡＴにより発展しており、ＬＴＥとニューラジオ( ＮＲ、Ｎｅｗ Ｒａｄｉｏ )システムを例にとると、ＬＴＥにおける進化型基地局( ｅＮＢ、ｅｖｏｌｖｅｄ ＮｏｄｅＢ )又はＮＲシステムにおける５Ｇ基地局ｇＮＢはいずれもＬＴＥに基づくＰＣ５インターフェースＬＴＥ−ｂａｓｅｄ ＰＣ５を制御することができ、また、ＬＴＥにおけるｅＮＢ又はＮＲシステムにおける５Ｇ基地局ｇＮＢはいずれもＮＲに基づくＰＣ５インターフェースＮＲ−ｂａｓｅｄ ＰＣ５を制御することができる。
【０００４】
この場合、ネットワークカバレッジがあるか否か、異なるまたは同じオペレータによって提供される異なるノード間のデュアル接続( ＤＣ、Ｄｕａｌ−Ｃｏｎｎｅｃｔｉｖｉｔｙ )関係などのネットワーク展開の異なるシナリオを考慮すると、端末の通信能力は、ネットワーク展開の異なるシナリオにおいて調整される必要がある。
【発明の概要】
【０００５】
本願の実施例は、異なるネットワークのカバレッジでの端末ＰＣ５インターフェースの通信能力を調整することができる情報伝送方法、デバイス及びコンピュータ記憶媒体を提供する。
【０００６】
本願の技術案は、以下のように実現される。
【０００７】
第１の態様として、本願の実施例が情報伝送方法を提供し、前記方法が端末に応用され、前記方法は、
端末のＰＣ５インターフェースに関する通信能力情報を含む第１のメッセージをネットワークデバイスに送信することを含む。
【０００８】
第２の態様として、本願の実施例が情報伝送方法を提供し、前記方法がネットワークデバイスに応用され、前記方法が、
端末により送信された、前記端末のＰＣ５インターフェースに関する通信能力情報を含む第１のメッセージを受信することと、
前記端末が前記ネットワークデバイス制御下で使用するＰＣ５インターフェースの通信能力を示す第２のメッセージを、前記端末に送信することとを含む。
【０００９】
第３の態様として、本願の実施例が情報伝送方法を提供し、前記方法は、
第１のネットワークデバイスが、端末が使用することができるＰＣ５インターフェースの通信能力情報を示す第１のメッセージを、第２のネットワークデバイスに送信することを含む。
【００１０】
第４の態様として、本願の実施例が情報伝送方法を提供し、前記方法は、
第２のネットワークデバイスが第１のネットワークデバイスにより送信された、端末が使用することができるＰＣ５インターフェースの通信能力情報を示す第１のメッセージを受信することを含む。
【００１１】
第５の態様として、本願の実施例が端末を提供し、前記端末が第１の送信部を含み、第１の送信部は、端末のＰＣ５インターフェースに関する通信能力情報を含む第１のメッセージをネットワークデバイスに送信するように構成される。
【００１２】
第６の態様として、本願の実施例がネットワークデバイスを提供し、前記ネットワークデバイスが第２の受信部及び第２の送信部を含み、ここで、前記第２の受信部は、端末により送信された、前記端末のＰＣ５インターフェースに関する通信能力情報を含む第１のメッセージを受信するように構成され、
前記第２の送信部は、前記端末が前記ネットワークデバイス制御下で使用するＰＣ５インターフェースの通信能力を示す第２のメッセージを、前記端末に送信するように構成される。
【００１３】
第７の態様として、本願の実施例は、第１のネットワークインターフェースと、第１のメモリと、第１のプロセッサと、を備える端末を提供し、ここで、前記第１のネットワークインターフェースは、他の外部ネットワーク要素との間で情報を送受信する際に、信号を送受信するように構成され、前記第１のメモリは、前記第１のプロセッサ上で実行可能なコンピュータプログラムを記憶するように構成され、前記第１のプロセッサは、前記コンピュータプログラムを実行する際に、第１の態様に係る方法のステップを実行するように構成される。
【００１４】
第８の態様として、本願の実施例は、第２のネットワークインターフェースと、第２のメモリと、第２のプロセッサと、を備えるネットワークデバイスを提供し、ここで、前記第２のネットワークインターフェースは、他の外部ネットワーク要素との間で情報を送受信する際に、信号を送受信するように構成され、前記第２のメモリは、前記第２のプロセッサ上で実行可能なコンピュータプログラムを記憶するように構成され、前記第２のプロセッサは、前記コンピュータプログラムを実行する際に、第２の態様に係る方法のステップを実行するように構成される。
【００１５】
第９の態様において、本願の実施例は、少なくとも１つのプロセッサによって実行されると、第１の態様又は第２の態様の情報伝送方法のステップを実現する情報伝送プログラムを記憶するコンピュータ記憶媒体を提供する。
【００１６】
本願の実施例は、情報伝送方法、デバイス、及びコンピュータ記憶媒体を提供し、端末は、ＰＣ５インターフェースに関する通信能力情報をネットワークデバイスに報告した後、ネットワークデバイスは、第１のメッセージに従って、端末がネットワークデバイスの制御下で使用するＰＣ５インターフェースの通信能力を決定し、異なるネットワークのカバレッジ条件下で、端末のＰＣ５インターフェースの通信能力を調整することができる。
【図面の簡単な説明】
【００１７】
【図１】本願の実施例における車両インターネットシステムアーキテクチャの模式図である。
【図２】本願の実施例における情報伝送方法のフローチャートである。
【図３】本願の実施例における第１のメッセージのシグナリング区別の模式図である。
【図４】本願の実施例における他の情報伝送方法のフローチャートである。
【図５Ａ】本願の実施例における情報伝送方法のフローチャートである。
【図５Ｂ】本願の実施例におけるフィードバックのフローチャートである。
【図６】本願の実施例における他の情報情報伝送方法のフローチャートである。
【図７】本願の実施例における端末の構成図である。
【図８】本願の実施例における他の端末の構成図である。
【図９】本願の実施例における端末のハードウェア構成図である。
【図１０】本願の実施例におけるネットワークデバイスの構成図である。
【図１１】本願の実施例におけるネットワークデバイスのハードウェア構成図である。
【発明を実施するための形態】
【００１８】
以下、本願の実施例における技術的な解決策を、本願の実施例における図面を参照して、明確且つ完全に説明する。
【００１９】
図１を参照すると、本願の実施例によって提供される例示的な車両インターネットシステムアーキテクチャが示されており、このアーキテクチャは、本願の実施例の技術案に適用可能である。このシステムアーキテクチャは、例えばＬＴＥ-Ｄ２Ｄの車両インターネットシステムなどのような、様々な通信システムに基づくことができる。従来のＬＴＥシステムにおける端末間の通信データがネットワークデバイス(例えば、基地局)を介して受信又は送信される方式とは異なり、車両インターネットシステムは、端末間の直接通信の方式を採用し、これにより、より高い周波数スペクトル効率及びより低い伝送遅延を有する。図１において、車載端末１を例にとると、車載端末１の伝送リソースは、基地局、例えばＬＴＥにおける進化型基地局( ｅＮＢ、ｅｖｏｌｖｅｄ ＮｏｄｅＢ )及び/又はニューラジオ( ＮＲ、Ｎｅｗ Ｒａｄｉｏ )における５Ｇ基地局( ｇＮＢ )によって割り当てられ、具体的には、前記基地局は、点線で示すダウンリンク( ＤＬ、Ｄｏｗｎ Ｌｉｎｋ )を介して、車載端末１にＧｒａｎｔリソースを指示する制御メッセージを送信し、その後、車載端末１は、基地局から割り当てられたリソースに基づいて、実線矢印で示すＳＬ上で車載端末２とデータの送信を行う。なお、ｅＮＢとｇＮＢとの間のデータ伝送も、有線又は無線のいずれによって行われてもよい。
【００２０】
任意選択で、図１に示す車両インターネットシステムが基礎とする通信システムは、ＧＳＭ （ Ｇｌｏｂａｌ Ｓｙｓｔｅｍ ｏｆ Ｍｏｂｉｌｅ ｃｏｍｍｕｎｉｃａｔｉｏｎ )システム、ＣＤＭＡ （ Ｃｏｄｅ Ｄｉｖｉｓｉｏｎ Ｍｕｌｔｉｐｌｅ Ａｃｃｅｓｓ )システム、ＷＣＤＭＡ （ Ｗｉｄｅｂａｎｄ Ｃｏｄｅ Ｄｉｖｉｓｉｏｎ Ｍｕｌｔｉｐｌｅ Ａｃｃｅｓｓ )システム、ＧＰＲＳ （ Ｇｅｎｅｒａｌ Ｐａｃｋｅｔ Ｒａｄｉｏ Ｓｅｒｖｉｃｅ )、ＬＴＥシステム、ＦＤＤ （ Ｆｒｅｑｕｅｎｃｙ Ｄｉｖｉｓｉｏｎ Ｄｕｐｌｅｘ )システム、ＴＤＤ （ Ｔｉｍｅ Ｄｉｖｉｓｉｏｎ Ｄｕｐｌｅｘ )システム、ＵＭＴＳ （ Ｕｎｉｖｅｒｓａｌ Ｍｏｂｉｌｅ Ｔｅｌｅｃｏｍｍｕｎｉｃａｔｉｏｎ Ｓｙｓｔｅｍ )、ＷｉＭＡＸ （ Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ )通信システム、ＮＲ （ Ｎｅｗ Ｒａｄｉｏ )又は未来の５Ｇシステム等であってもよい。
【００２１】
また、本願の実施例における車載端末は、端末、端末デバイス等と称しても良く、車載端末デバイスを指し、将来５Ｇネットワークにおける端末デバイス、あるいは将来進化したＰＬＭＮ （ Ｐｕｂｌｉｃ Ｌａｎｄ Ｍｏｂｉｌｅ Ｎｅｔｗｏｒｋ )における端末デバイス等であっても良く、本願の実施例は限定されない。
【００２２】
本願は、ネットワークデバイスに関連して様々な実施例を説明する。本願の実施例におけるネットワークデバイスは端末デバイスと通信するための機器であってもよく、当該ネットワークデバイスはＧＳＭまたはＣＤＭＡにおける基地局( Ｂａｓｅ Ｔｒａｎｓｃｅｉｖｅｒ Ｓｔａｔｉｏｎ、ＢＴＳ )であってもよく、ＷＣＤＭＡシステムにおける基地局（ ＮｏｄｅＢ、ＮＢ )であってもよく、ＬＴＥシステムにおける進化型基地局( Ｅｖｏｌｕｔｉｏｎａｌ ＮｏｄｅＢ、ｅＮＢ又はｅＮｏｄｅＢ )であってもよく、クラウド無線アクセスネットワーク( Ｃｌｏｕｄ Ｒａｄｉｏ Ａｃｃｅｓｓ Ｎｅｔｗｏｒｋ、ＣＲＡＮ )シナリオにおける無線コントローラであってもよく、または当該ネットワークデバイスは中継局、アクセスポイント、車載機器、ウェアラブル機器および将来５Ｇネットワークにおけるネットワークデバイスまたは将来進化したＰＬＭＮネットワークにおけるネットワークデバイスなどであってもよく、本願の実施例は限定されない。
【００２３】
図１では、車載端末は、ｅＮＢとｇＮＢという異なる２つの基地局にアクセスするので、それら２つの基地局は、車載端末のＰＣ５インターフェースを制御することができ、この制御は、車載端末のＬＴＥに基づくＰＣ５インターフェースだけでなく、車載端末のＮＲに基づくＰＣ５インターフェースに対しても制御を意味することが理解される。これに対して、ネットワークにより構成された異なるシナリオにおいて、車載端末のＰＣ５インターフェースの通信能力を調整する必要がある。本願の実施例を以下の実施例により記述及び説明する。
【００２４】
なお、本願の実施例における全ての技術案は、車載インターネットシステムにのみ適用されるのではなく、他の端末ー端末の通信システムにも適用可能であり、本願の実施例における前記端末は、車載端末、ハンディターミナル、ＰＤＡ （ Ｐｅｒｓｏｎａｌ Ｄｉｇｉｔａｌ Ａｓｓｉｓｔａｎｔ )、ウェアラブル端末などであってもよく、本願の実施例における前記ネットワークは、ＮＲネットワーク、ＬＴＥネットワークなどを含んでもよい。
【００２５】
実施例一
図２を参照すると、本願の実施例によって提供される情報伝送方法が示されており、この方法は、異なるアクセスシステムｉｎｔｅｒ−ＲＡＴ下のＤ２Ｄ技術における端末に適用され得るか、または、異なるアクセスシステムのｉｎｔｅｒ−ＲＡＴ下のＶ２Ｘ技術における車載端末に適用され得るが、この方法は、以下のステップを含み、
Ｓ２０１において、端末のＰＣ５インターフェースに関する通信能力情報を含む第１のメッセージをネットワークデバイスに送信する。
【００２６】
図２に示す技術案により、異なるアクセスシステムのｉｎｔｅｒ−ＲＡＴ下にある端末が、第１のメッセージによりＰＣ５インターフェースの通信能力情報をネットワークデバイスに報告した後、ネットワークデバイスは、端末により報告されたＰＣ５インターフェースの通信能力情報に基づいて、端末のＰＣ５インターフェースの通信能力を調整することができ、これにより、異なるタイプのネットワークのカバレッジ下で、端末のＰＣ５インターフェースの通信能力を調整することが可能となる。
【００２７】
本願の実施例において、前記端末のＰＣ５インターフェースに関する通信能力情報は、前記端末がサポートする第１のネットワークデバイス制御下のＰＣ５インターフェースの通信能力と前記端末がサポートする第２のネットワークデバイス制御下のＰＣ５インターフェースの通信能力との組合せを含み、ここで、前記第１のネットワークデバイスと前記第２のネットワークデバイスがデュアル接続アーキテクチャで接続される。
【００２８】
ある実施例において、前記第１のネットワークデバイスと前記第２のネットワークデバイスとは、互いに同期される。他の実施例において、前記第１のネットワークデバイスと前記第２のネットワークデバイスとは、互いに同期されない。
【００２９】
ある実施例において、前記第１のネットワークデバイスと前記第２のネットワークデバイスのアクセスタイプは、ＬＴＥである。他の実施例において、前記第１のネットワークデバイスと前記第２のネットワークデバイスのアクセスタイプは、ＮＲである。他の実施例において、前記第１のネットワークデバイスのアクセスタイプがＬＴＥであり、前記第２のネットワークデバイスのアクセスタイプがＮＲである。
【００３０】
本願の実施例において、通信能力情報は、データ伝送および通信のためのＰＣ５インターフェースの能力を記述するために使用され得、この能力は、様々なパラメータ値によって表現または示し得る。例えば、ＰＣ５インターフェースが提供可能な送信リンクＴｃｈａｉｎの数、ＰＣ５インターフェースが提供可能な受信リンクＲｃｈａｉｎの数などである。なお、リンクの数に加えて、データ伝送のためのＰＣ５インターフェースの通信能力を表現または示すことができる他のパラメータ値が、本願の実施例に記載された通信能力情報とみなされ得る。
【００３１】
図２による技術案において、前記第１のメッセージに含まれる前記端末のＰＣ５インターフェースに関する通信能力情報は、前記ＰＣ５インターフェースのアクセスタイプを示す第１の指示情報、及び／又は、前記ＰＣ５インターフェースを制御することができるＵｕインターフェースアクセスタイプを示す第２の指示情報を含む。
【００３２】
具体的に、前記ＰＣ５インターフェースのアクセスタイプを示すための第１の指示情報がＰＣ５インターフェースのアクセスタイプを示し、例えば、ＬＴＥアクセスタイプであるＰＣ５インターフェースＬＴＥ−ＰＣ５、又は、ＮＲアクセスタイプであるＰＣ５インターフェースＮＲ−ＰＣ５であり、基地局であるネットワークデバイスを例とし、例えば、ｅＮＢ又はｇＮＢは、端末と基地局の間で、通常、Ｕｕインターフェースでデータ伝送を行うため、基地局のアクセスタイプに従って、Ｕｕインターフェースのアクセスタイプが異なり、これに基づいて、前記ＰＣ５インターフェースを制御することができるＵｕインターフェースアクセスタイプを示す第２の指示情報は、前記ＰＣ５インターフェースを制御することができるＵｕインターフェースのアクセスタイプを示し、例えば、ＬＴＥアクセスタイプのＵｕインターフェースＬＴＥ−Ｕｕ、又は、ＮＲアクセスタイプのＵｕインターフェースＮＲ−Ｕｕである。
【００３３】
前述の図１に示すアーキテクチャを例にすると、ネットワークデバイスは、少なくとも２つのアクセスタイプのネットワークデバイスを含んでもよく、この実施例では、第１のネットワークデバイス及び第２のネットワークデバイスと称されてもよい。２つのネットワークデバイスのアクセスタイプが異なるため、取得する必要がある前記端末のＰＣ５インターフェースに関する通信能力情報も異なる。Ｓ２０１で記述した第１のメッセージに対して、第１のメッセージに含まれる端末のＰＣ５インターフェースに関する通信能力情報を異なるシグナリングで搬送するようにしてもよい。この実施例では、図３に示す第１のメッセージに含まれる端末のＰＣ５インターフェースに関する通信能力情報を参照し、３つタイプのシグナリングを例にすると、前記第１のメッセージに含まれる前記端末のＰＣ５インターフェースに関する通信能力情報において、
前記ＰＣ５インターフェースがロングタームエボリューションＬＴＥに対する通信能力が第１のシグナリングに搬送され、図３の斜線塗りつぶしブロックによって示し、
前記ＰＣ５インターフェースがニューラジオＮＲに対する通信能力が第２のシグナリングに搬送され、図３のドット塗りつぶしブロックに示し、
前記ＰＣ５インターフェースがＬＴＥとＮＲのデュアル接続ＤＣに対する通信能力は、第３のシグナリングに搬送され、図３のクロスバーパディングのブロックに示す。
【００３４】
本願の実施例において、前記第１のメッセージに含まれる前記端末のＰＣ５インターフェースに関する通信能力情報のうち、前記ＰＣ５インターフェースがＬＴＥとＬＴＥのデュアル接続に対する通信組合せは、第１のシグナリングに搬送される。
【００３５】
本願の実施例において、前記第１のメッセージに含まれる前記端末のＰＣ５インターフェースに関する通信能力情報のうち、前記ＰＣ５インターフェースがＬＴＥとＬＴＥのデュアル接続に対する通信能力組合せは、第３のシグナリングに搬送される。
【００３６】
本願の実施例において、前記第１のメッセージに含まれる前記端末のＰＣ５インターフェースに関する通信能力情報のうち、前記ＰＣ５インターフェースがＬＴＥとＬＴＥのデュアル接続に対する通信能力組合せは、第４のシグナリングに搬送される。
【００３７】
本願の実施例において、前記第１のメッセージに含まれる前記端末のＰＣ５インターフェースに関する通信能力情報のうち、前記ＰＣ５インターフェースがＮＲとＮＲのデュアル接続に対する通信能力組合せは、第２のシグナリングに搬送される。
【００３８】
本願の実施例において、前記第１のメッセージに含まれる前記端末のＰＣ５インターフェースに関する通信能力情報のうち、前記ＰＣ５インターフェースがＮＲとＮＲのデュアル接続に対する通信能力組合せは、第３のシグナリングに搬送される。
【００３９】
本願の実施例において、前記第１のメッセージに含まれる前記端末のＰＣ５インターフェースに関する通信能力情報のうち、前記ＰＣ５インターフェースがＮＲとＮＲのデュアル接続に対する通信能力組合せは、第５のシグナリングに搬送される。
【００４０】
なお、上記のいくつかのシグナリングは、ＲＲＣメッセージにおける３つの異なる情報要素( ＩＥ、Ｉｎｆｏｒｍａｔｉｏｎ Ｅｌｅｍｅｎｔ )によって実現されてもよい。また、上記シグナリングを実現できる他の具体的な実現方式も適応的に本願の実施例の技術案に適用することができ、ここでその説明が省略される。
【００４１】
上記のいくつかのシグナリングについて、第１のシグナリングによってＰＣインターフェースがＬＴＥに対する通信能力を示すので、第１のシグナリングにはＬＴＥに関する通信能力情報が含み、具体的に、
ＬＴＥ−Ｕｕインターフェースにより制御されアクセスタイプがＬＴＥであるＰＣ５インターフェースＬＴＥ−ＰＣ５の通信能力情報、
ＮＲ−Ｕｕインターフェースにより制御されアクセスタイプがＬＴＥであるＰＣ５インターフェースＬＴＥ−ＰＣ５の通信能力情報、
ＬＴＥ−Ｕｕインターフェースにより制御されアクセスタイプがＮＲであるＰＣ５インターフェースＮＲ−ＰＣ５の通信能力情報のうちの少なくとも１つを含む。
【００４２】
第２のシグナリングによってＰＣ５インターフェースがニューラジオＮＲに対する通信能力を示すので、第２のシグナリングにはＮＲに関する通信能力情報が含まれ、具体的に、
ＮＲ−Ｕｕインターフェースにより制御されアクセスタイプがＮＲであるＰＣ５インターフェースＮＲ−ＰＣ５の通信能力情報、
ＮＲ−Ｕｕインターフェースにより制御されアクセスタイプがＬＴＥであるＰＣ５インターフェースＬＴＥ−ＰＣ５の通信能力情報、
ＬＴＥ−Ｕｕインターフェースにより制御されアクセスタイプがＮＲであるＰＣ５インターフェースＮＲ−ＰＣ５の通信能力情報のうちの少なくとも１つを含む。
【００４３】
第３のシグナリングによって前記ＰＣ５インターフェースがＬＴＥとＮＲのデュアル接続ＤＣに対する通信能力を示すので、第３のシグナリングにはＬＴＥ及びＮＲのいずれも関連する通信能力情報が含まれ、具体的に、
ＬＴＥ−Ｕｕインターフェース通信能力情報、
ＮＲ−Ｕｕインターフェース通信能力情報、
ＮＲ−Ｕｕインターフェースにより制御されアクセスタイプがＮＲであるＰＣ５インターフェースＮＲ−ＰＣ５の通信能力情報、
ＬＴＥ−Ｕｕインターフェースにより制御されアクセスタイプがＬＴＥであるＰＣ５インターフェースＬＴＥ−ＰＣ５の通信能力情報、
ＮＲ−Ｕｕインターフェースにより制御されアクセスタイプがＬＴＥであるＰＣ５インターフェースＬＴＥ−ＰＣ５の通信能力情報、
ＬＴＥ−Ｕｕインターフェースにより制御されアクセスタイプがＮＲであるＰＣ５インターフェースＮＲ−ＰＣ５の通信能力情報のうちの少なくとも２つの組合せを含む。
【００４４】
第３のシグナリングについて、それに含まれるものが同様に第１のシグナリング又は第２のシグナリングに含まれるので、前記第３のシグナリングが通信能力を示す識別子情報を含み、前記通信能力の識別子情報が前記第１のシグナリング及び／又は第２のシグナリングに定義される通信能力情報を示す。例えば、第１のシグナリングにはＬＴＥ−Ｕｕインターフェースにより制御されアクセスタイプがＬＴＥであるＰＣ５インターフェースＬＴＥ−ＰＣ５の通信能力情報が含まれ、この通信能力情報の識別子をＡとし、第２のシグナリングにはＮＲ−Ｕｕインターフェースにより制御されアクセスタイプがＮＲであるＰＣ５インターフェースＮＲ−ＰＣ５の通信能力情報が含まれ、この通信能力情報の識別子をＢとし、第３のシグナリングには、同様に、ＮＲ−Ｕｕインターフェースにより制御されアクセスタイプがＮＲであるＰＣ５インターフェースＮＲ−ＰＣ５の通信能力情報、及びＬＴＥ−Ｕｕインターフェースにより制御されアクセスタイプがＬＴＥであるＰＣ５インターフェースＬＴＥ−ＰＣ５の通信能力情報が含まれる場合、第３のシグナリングにはこの通信能力情報に対応する識別子、Ａ及びＢが含まれる。そして、端末の対向側が第３のシグナリングを受信すると、この２つの識別子、Ａ及びＢに基づいて、それぞれの通信能力情報を決定することができる。
【００４５】
第３のシグナリングについて、任意選択で、前記第３のシグナリングは、さらに、端末デバイスが互いに同期されるＬＴＥ−ＵｕとＮＲ−Ｕｕのデュアル接続アーキテクチャをサポートすることを指示する識別子情報を含む。又は、前記第３のシグナリングは、さらに、端末デバイスが互いに同期されないＬＴＥ−ＵｕとＮＲ−Ｕｕのデュアル接続アーキテクチャをサポートすることを指示する識別子情報を含む。
【００４６】
本願の実施例において、前記ＰＣ５インターフェースがＬＴＥとＬＴＥのデュアル接続に対する通信能力は、端末デバイスが互いに同期されるＬＴＥ−ＵｕとＬＴＥ−Ｕｕのデュアル接続アーキテクチャをサポートすることを指示する識別子情報を含む。
【００４７】
本願の実施例において、前記ＰＣ５インターフェースがＬＴＥとＬＴＥのデュアル接続に対する通信能力は、端末デバイスが互いに同期されないＬＴＥ−ＵｕとＬＴＥ−Ｕｕのデュアル接続アーキテクチャをサポートすることを指示する識別子情報を含む。
【００４８】
本願の実施例において、前記ＰＣ５インターフェースがＮＲとＮＲのデュアル接続に対する通信能力は、端末デバイスが互いに同期されるＮＲ−ＵｕとＮＲ−Ｕｕのデュアル接続アーキテクチャをサポートすることを指示する識別子情報を含む。
【００４９】
本願の実施例において、前記ＰＣ５インターフェースがＮＲとＮＲのデュアル接続に対する通信能力は、端末デバイスが互いに同期されないＮＲ−ＵｕとＮＲ−Ｕｕのデュアル接続アーキテクチャをサポートすることを指示する識別子情報を含む。
【００５０】
この実施例の前記内容によれば、上記３タイプのシグナリングにより、第１のメッセージに含まれる端末のＰＣ５インターフェースに関する通信能力情報について区分した後、端末はネットワークデバイスに報告する必要があり、具体的に、図１に示すネットワークアーキテクチャを参照し、端末が異なるアクセスシステムｉｎｔｅｒ−ＲＡＴにあるため、端末は少なくとも２つのネットワークデバイスにアクセスすることになり、したがって、端末は、第１のメッセージを介して、ＰＣ５インターフェースに関する通信能力情報を前記少なくとも２つのネットワークデバイスに報告する必要がある。好ましくは、上記の３つタイプのシグナリングについて、前記ネットワークデバイスに第１のメッセージを送信することは、
少なくとも２つのネットワークデバイスのうちの１つの目標ネットワークデバイスに前記第１のシグナリング、前記第２のシグナリング及び前記第３のシグナリングを送信することを含む。
【００５１】
なお、この好ましい例によれば、端末が、第１のシグナリング、第２のシグナリングおよび第３のシグナリングを目標ネットワークデバイスに送信した後、目標ネットワークデバイスは、自身のアクセスタイプおよび必要に応じて、目標ネットワークデバイス自身によって使用されるＰＣ５インターフェースの通信能力を決定することができ、そして、目標ネットワークデバイス自身が使用しているＰＣ５インターフェースの通信能力に応じて、上記３つのシグナリングに含まれる通信能力情報から、目標ネットワークデバイス以外の他のネットワークデバイスが使用しているＰＣ５インターフェースの通信能力を決定し、他のネットワークデバイスに送信する。したがって、他のネットワークデバイスが自身の使用するＰＣ５インターフェースの通信能力を決定するようにしてもよい。
【００５２】
なお、前記少なくとも２つのネットワークデバイスが異なるアクセスタイプに対応するため、この実施例において、２つのネットワークデバイスを例とし、それぞれアクセスタイプがＬＴＥである第１のネットワークデバイス及びアクセスタイプがＮＲである第２のネットワークデバイスである。好ましくは、上記の３つのシグナリングについて、前記ネットワークデバイスに第１のメッセージを送信することは、
アクセスタイプがＬＴＥである第１のネットワークデバイスに前記第１のシグナリングを送信することと、
アクセスタイプがＮＲである第２のネットワークデバイスに前記第２のシグナリングを送信することと、
前記第１のネットワークデバイス又は第２のネットワークデバイスに前記第３のシグナリングを送信することとを含む。
【００５３】
なお、この好ましい例によれば、３つタイプのシグナリングはそれぞれ異なるアクセス状況に対応するので、端末は、異なるネットワークデバイスが対応するアクセスタイプに応じて、これら３つのシグナリングを対応して送信することができる。各ネットワークデバイスが自身の要求に応じて自身の使用するＰＣ５インターフェースの通信能力を決定することができる。
【００５４】
本願の実施例において、以下の２つの方式で前記ネットワークデバイスへの第１のメッセージの送信を実現し、
１）第１のネットワークデバイス及び／又は第２のネットワークデバイスに前記ＰＣ５インターフェースがＬＴＥとＬＴＥのデュアル接続に対する通信組合せを送信し、前記第１の及び第２のネットワークデバイスがＬＴＥとＬＴＥのデュアル接続アーキテクチャを構成する。
【００５５】
２）第１のネットワークデバイス及び／又は第２のネットワークデバイスに前記ＰＣ５インターフェースがＮＲとＮＲのデュアル接続に対応する通信組合せを送信し、前記第１の及び第２のネットワークデバイスがＮＲとＮＲのデュアル接続アーキテクチャを構成する。
【００５６】
上記の好ましい実施例によってネットワークデバイスに第１のメッセージを送信した後、前記方法は、さらに、前記ネットワークデバイスにより送信された第２のメッセージを受信することを含み、ここで、前記第２のメッセージは、前記端末が前記ネットワークデバイス制御下で使用するＰＣ５インターフェースの通信能力を示す。
【００５７】
上記の好ましい実施例によってネットワークデバイスに第１のメッセージを送信する前に、前記ネットワークデバイスにより送信された第３のメッセージを受信することを含み、ここで、前記第３のメッセージは、前記ネットワークデバイスが制御するＰＣ５インターフェースの通信能力を示す。さらに、前記ネットワークデバイスが制御するＰＣ５インターフェースの通信能力は、前記ネットワークデバイスが制御するＰＣ５インターフェースの無線アクセスタイプ（ＲＡＴ、Ｒａｄｉｏ Ａｃｃｅｓｓ Ｔｙｐｅ）を含む。
【００５８】
上記の第３のメッセージについて、端末が前記第３のメッセージに基づいて、
ＬＴＥ−Ｕｕインターフェースにより制御されアクセスタイプがＬＴＥであるＰＣ５インターフェースＬＴＥ−ＰＣ５の通信能力情報、
ＮＲ−Ｕｕインターフェースにより制御されアクセスタイプがＬＴＥであるＰＣ５インターフェースＬＴＥ−ＰＣ５の通信能力情報、
ＬＴＥ−Ｕｕインターフェースにより制御されアクセスタイプがＮＲであるＰＣ５インターフェースＮＲ−ＰＣ５の通信能力情報、
ＮＲ−Ｕｕインターフェースにより制御されアクセスタイプがＮＲであるＰＣ５インターフェースＮＲ−ＰＣ５の通信能力情報のうちの少なくとも１つを報告するかどうかを決定する。
【００５９】
なお、上記第２のメッセージについて、ネットワークデバイスがＰＣ５インターフェースに対する端末の通信能力を第１のメッセージを受信することにより知るため、ネットワークデバイスは、第１のメッセージに基づいてネットワークデバイスの制御下で端末が使用するＰＣ５インターフェースの通信能力を決定した後、この第１のメッセージに対する端末へのフィードバックを行う必要があり、この第２のメッセージがフィードバックである。この第２のメッセージは、端末がネットワークデバイスの制御下で使用するＰＣ５インターフェースの通信能力を示すので、端末は、ネットワークデバイスの制御下で使用するＰＣ５インターフェースの通信能力に基づいて、端末自身が保留して使用するＰＣ５インターフェースの通信能力を決定することができ、この方法は、以下のステップをさらに含み、
前記第２のメッセージに示す、前記端末が前記ネットワークデバイス制御で使用するＰＣ５インターフェースの通信能力に基づいて、前記端末が使用するＰＣ５インターフェースの通信能力を決定する。
【００６０】
なお、端末は、第２のメッセージに基づいて前記端末の使用するＰＣ５インターフェースの通信能力を決定すること以外、自身が使用するＰＣ５インターフェースの通信能力を予め保留してもよく、これにより、前記方法は、さらに、前記ネットワークデバイスに第１のメッセージを送信する前に、前記端末が使用するＰＣ５インターフェースの通信能力を自ら決定することを含む。
【００６１】
具体的に、上記の端末が使用するＰＣ５インターフェースの通信能力情報は、
前記端末が前記ネットワークデバイス以外の他のネットワークデバイスに報告する必要があるＰＣ５インターフェースに関する通信能力情報、
及び／又は、前記端末が前記ネットワークデバイス制御以外で使用するＰＣ５インターフェースの通信能力を含む。
【００６２】
前記端末が前記ネットワークデバイス制御下で使用するＰＣ５インターフェースの通信能力について、具体的に、前記報告情報に含まれないＰＣ５インターフェースに関する通信能力は、前記端末が前記ネットワークデバイス制御以外で使用するＰＣ５インターフェースの通信能力である。
【００６３】
なお、端末とネットワークデバイスとの通信において、ネットワークデバイスの制御下のＰＣ５インターフェースの通信と、端末のネットワークデバイスの制御以外で使用されるＰＣ５インターフェースの通信とが競合する場合、ネットワークデバイスの制御下のＰＣ５インターフェースの通信を優先し、したがって、前記ネットワークデバイス制御下のＰＣ５インターフェースの通信優先度は、前記端末が前記ネットワークデバイス制御以外で使用するＰＣ５インターフェースの通信よりも高い。
【００６４】
この実施例の技術案によれば、端末がＰＣ５インターフェースに関する通信能力情報をネットワークデバイスに報告した後、ネットワークデバイスが第１のメッセージに基づいて自身が使用するＰＣ５インターフェースの通信能力を決定させることができ、これにより、端末が異なるネットワークのカバレッジ条件にある場合、ＰＣ５インターフェースの通信能力を調整することができる。
【００６５】
実施例二
上記の実施例と同じ発明の思想に基づいて、図４を参照すると、本願の実施例によって提供される情報伝送方法が示されており、この方法は、異なるアクセスシステムｉｎｔｅｒ−ＲＡＴ下のＤ２ＤまたはＶ２Ｘ技術における車載端末に適用され、異なるアクセスシステムｉｎｔｅｒ−ＲＡＴにおいて少なくともネットワークデバイスのうちの１つのネットワークデバイスを実現し、この方法は、以下のステップを含み、
Ｓ４０１において、端末により送信された、前記端末のＰＣ５インターフェースに関する通信能力情報を含む第１のメッセージを受信し、
Ｓ４０２において、前記端末が前記ネットワークデバイス制御下で使用するＰＣ５インターフェースの通信能力を示す第２のメッセージを、前記端末に送信する。
【００６６】
図４に示す技術案によれば、前記ネットワークデバイスは、第１のメッセージを受信した後、第１のメッセージに含まれる前記端末のＰＣ５インターフェースに関する通信能力情報に基づいて、端末が前記ネットワークデバイスの制御下で使用するＰＣ５インターフェースの通信能力を決定し、第２のメッセージにより端末にフィードバックを行い、端末が端末自身の使用する通信能力を保留することができ、端末が自身の使用する通信能力を保留するプロセスは、前記実施例に示されており、ここで説明を省略する。この実施例に係る情報伝送方法は、ＰＣ５のインターフェース能力の調整を実現する。
【００６７】
図４に示す技術案によって、第１のメッセージに含まれる端末のＰＣ５インターフェースに関する通信能力情報は、異なるシグナリングを介して搬送される。そして、ある可能な実現方式において、前記第１のメッセージは、第１のシグナリング、第２のシグナリング及び第３のシグナリングを含み、この３つのシグナリングを例とし、前記第１のメッセージに含まれる前記端末のＰＣ５インターフェースに関する通信能力情報のうち、前記ＰＣ５インターフェースがロングタームエボリューションＬＴＥに対する通信能力が第１のシグナリングに搬送され、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される。
【００６８】
なお、上記３つのシグナリングは、ＲＲＣメッセージにおける３つの異なるＩＥにより実現されてもよい。また、上記３つのシグナリングを実現できる他の具体的な実現方式も適応的に本願の実施例の技術方案に適用することができ、ここでその説明が省略される。
【００６９】
また、異なるアクセスシステムであるｉｎｔｅｒ−ＲＡＴを実現するネットワークデバイスの数が少なくとも２つであるため、この実施例においてネットワークデバイスは、アクセスタイプはＬＴＥであってもＮＲであってもよい。そして、図４の技術案において、他の実現可能な方式において、前記ネットワークデバイスのアクセスタイプがＬＴＥである場合、前記第１のメッセージが第１のシグナリング及び第３のシグナリングを含み、ここで、前記ＰＣ５インターフェースがロングタームエボリューションＬＴＥに対する通信能力が第１のシグナリングに搬送され、前記ＰＣ５インターフェースがＬＴＥとＮＲのデュアル接続ＤＣに対する通信能力は、第３のシグナリングに搬送され、
前記ネットワークデバイスのアクセスタイプがＮＲである場合、前記第１のメッセージが第２のシグナリング及び第３のシグナリングを含み、ここで、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される。
【００７０】
上記２つの実施例に基づいて、なお、この実施例においてネットワークデバイスが前記ネットワークデバイス以外の他のネットワークデバイスに関するＰＣ５インターフェースの通信能力情報を受信するため、前記ネットワークデバイスは、自身の制御が必要があるＰＣ５インターフェースの通信能力を決定した後、他のネットワークデバイスにＰＣ５インターフェースの通信能力を指示する必要があり、そして、上記２つの実施例に基づいて、前記端末により送信された第１のメッセージを受信した後、前記方法は、さらに、
前記ネットワークデバイス以外の他のネットワークデバイスに第１の指示メッセージを送信することを含み、ここで、前記第１の指示メッセージは、前記端末が前記他のネットワークデバイス制御下で使用することができるＰＣ５インターフェースの通信能力情報を示す。さらに、前記第１の指示メッセージは、前記ネットワークデバイスと前記他のネットワークデバイスとがデュアル接続ＤＣアーキテクチャで接続される場合、前記端末が前記他のネットワークデバイス制御下で使用することができるＰＣ５インターフェースの通信能力情報を示す。
【００７１】
例えば、この実施例におけるネットワークデバイスをＮＥ１とし、そのアクセスタイプをＬＴＥとすると、ＮＥ１が受信する第１のメッセージが第１のシグナリング、第２のシグナリング、および第３のシグナリングを含む場合、ＮＥ１はＮＥ１以外のネットワークデバイス、例えばアクセスタイプがＮＲであるＮＥ２が使用可能なＰＣ５インターフェースの通信能力を受信するため、ＮＥ１はＮＥ２に対し、ＮＥ１およびＮＥ２がデュアル接続ＤＣアーキテクチャで接続されている場合にＮＥ２が使用可能なＰＣ５インターフェースの通信能力情報を示す第１の指示情報を送信することができる。また、ＮＥ１が受信した第１のメッセージが第１のシグナリングおよび第３のシグナリングを含む場合、第３のシグナリングには、ＮＥ２が使用可能なＰＣ５インターフェースの通信能力も同様に含まれるため、ＮＥ１は、ＮＥ２がＮＥ１およびＮＥ２がデュアル接続ＤＣアーキテクチャで接続されている場合にＮＥ２が使用可能なＰＣ５インターフェースの通信能力情報を示す第１の指示情報をＮＥ２に同様に送信してもよい。なお、ＮＥ１のアクセスタイプがＮＲであり、ＮＥ２のアクセスタイプがＬＴＥである場合、上述した例を参照して同様に実現されてもよく、この実施例では、説明されない。
【００７２】
なお、上記２つの実施例において、この実施例に係るネットワークデバイスは、いずれも第３のシグナリングを受信したため、他のネットワークデバイスが潜在的に使用可能なＰＣ５インターフェースの通信能力を受信した場合、この実施例に係るネットワークデバイスは、第３の信号を受信しなく、すなわち、他のネットワークデバイスがこの実施例においてネットワークデバイスの潜在的に使用可能なＰＣ５インターフェースの通信能力を受信する。これにより、他の実現可能な形態において、前記ネットワークデバイスのアクセスタイプがＬＴＥである場合、前記第１のメッセージが第１のシグナリングを含み、ここで、前記ＰＣ５インターフェースがロングタームエボリューションＬＴＥに対する通信能力が第１のシグナリングに搬送され、
前記ネットワークデバイスのアクセスタイプがＮＲである場合、前記第１のメッセージが第２のシグナリングを含み、ここで、前記ＰＣ５インターフェースがニューラジオＮＲに対する通信能力が第２のシグナリングに搬送される。
【００７３】
上記の実現形態に基づいて、前記方法は、さらに、
前記ネットワークデバイス以外の他のネットワークデバイスにより送信された第２の指示メッセージを受信することを含み、ここで、前記第２の指示メッセージは、前記ネットワークデバイスと前記他のネットワークデバイスとがデュアル接続ＤＣアーキテクチャで接続される場合、前記端末が前記ネットワークデバイス制御下で使用することができるＰＣ５インターフェースの通信能力情報を示す。
【００７４】
なお、他のネットワークデバイスがこの実施例において前記ネットワークデバイスの潜在的に使用可能なＰＣ５インターフェースの通信能力を受信した場合には、実施例において前記ネットワークデバイスに第２の指示メッセージを送信することにより、この実施例において前記ネットワークデバイスが他のネットワークデバイスとＤＣ的に接続されている場合に使用可能なＰＣ５インターフェースの通信能力情報を取得することができる。
【００７５】
なお、この実施例の実現可能な形態において、図１に示すネットワークアーキテクチャに１つのネットワークデバイスのみが存在し、前記ネットワークデバイス以外に、他のネットワークデバイスが存在しなく、例えば、アクセスタイプがＮＲであるＮＥ１又はアクセスタイプがＬＴＥであるＮＥ２のみが存在し、この場合、前記ネットワークデバイスのアクセスタイプがＬＴＥである場合、前記第１のメッセージが第１のシグナリングを含み、ここで、前記ＰＣ５インターフェースがロングタームエボリューションＬＴＥに対する通信能力が第１のシグナリングに搬送され、
これにより、前記方法は、さらに、前記ネットワークデバイスのアクセスタイプがＬＴＥである場合、前記第１のシグナリングから、前記端末が前記ネットワークデバイス制御下で使用するＰＣ５インターフェースの通信能力を決定することを含み、ここで、前記第１のシグナリングは、ＬＴＥ−Ｕｕインターフェースにより制御されアクセスタイプがＬＴＥであるＰＣ５インターフェースＬＴＥ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む。
【００７６】
なお、この時、前記端末が前記ネットワークデバイス制御下で使用するＰＣ５インターフェースの通信能力は、第１のシグナリングに含まれるＬＴＥ−Ｕｕインターフェースにより制御され、且つアクセスタイプがＬＴＥであるＰＣ５インターフェースＬＴＥ−ＰＣ５の通信能力情報により示す。
【００７７】
前記ネットワークデバイスのアクセスタイプがＮＲである場合、前記第１のメッセージが第２のシグナリングを含み、ここで、前記ＰＣ５インターフェースがニューラジオＮＲに対する通信能力が第２のシグナリングに搬送される。
【００７８】
これにより、前記方法は、さらに、前記ネットワークデバイスのアクセスタイプがＮＲである場合、前記第２のシグナリングから、前記端末が前記ネットワークデバイス制御下で使用するＰＣ５インターフェースの通信能力を決定することを含み、ここで、前記第２のシグナリングは、ＮＲ−Ｕｕインターフェースにより制御されアクセスタイプがＮＲであるＰＣ５インターフェースＮＲ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む。なお、この時、前記端末が前記ネットワークデバイス制御下で使用するＰＣ５インターフェースの通信能力は、第２のシグナリングに含まれるＮＲ−Ｕｕインターフェースにより制御され且つアクセスタイプがＮＲであるＰＣ５インターフェースＮＲ−ＰＣ５の通信能力情報により示す。
【００７９】
実施例三
上記の実施例と同じ発明の思想に基づいて、本願の実施例によって提供される情報伝送方法として、この方法は、Ｄ２ＤまたはＶ２Ｘ技術に応用されて、異なるアクセスシステムｉｎｔｅｒ−ＲＡＴ下の少なくとも２つのネットワークデバイス（例えば、第１のネットワークデバイス、第２のネットワークデバイス）のうちのネットワークデバイス（例えば、第１のネットワークデバイス）を実現し、この方法は、以下のステップを含み、
第１のネットワークデバイスが、端末が使用することができるＰＣ５インターフェースの通信能力情報を示す第１のメッセージを、第２のネットワークデバイスに送信することを含む。さらに、前記第１のメッセージが、前記端末が第２のネットワークデバイス制御下で使用することができるＰＣ５インターフェースの通信能力情報を示すことを含む。
【００８０】
当業者は、この実施例における第１のメッセージの説明が、前述の実施例１及び実施例２の説明を参照して理解され得ること、並びに前述の実施例１及び実施例２における第１のメッセージに関する説明が、この実施例に適応的に組み込まれてもよいことが理解されるであろう。
【００８１】
例えば、前記第１のメッセージが第１のシグナリング、第２のシグナリング及び第３のシグナリングを含み、ここで、前記ＰＣ５インターフェースがＬＴＥに対する通信能力が第１のシグナリングに搬送され、前記ＰＣ５インターフェースがＮＲに対する通信能力が第２のシグナリングに搬送され、前記ＰＣ５インターフェースがＬＴＥとＮＲのデュアル接続ＤＣに対する通信能力は、第３のシグナリングに搬送される。
【００８２】
ある実施例において、前記第２のネットワークデバイスのアクセスタイプがＬＴＥである場合、前記第１のメッセージが第１のシグナリング及び第３のシグナリングを含み、ここで、前記ＰＣ５インターフェースがロングタームエボリューションＬＴＥに対する通信能力が第１のシグナリングに搬送され、前記ＰＣ５インターフェースがＬＴＥとＮＲのデュアル接続ＤＣに対する通信能力は、第３のシグナリングに搬送される。
【００８３】
ある実施例において、前記第２のネットワークデバイスのアクセスタイプがＮＲである場合、前記第１のメッセージが第２のシグナリング及び第３のシグナリングを含み、ここで、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される。
【００８４】
ある実施例において、前記第２のネットワークデバイスのアクセスタイプがＬＴＥである場合、前記第１のメッセージが第１のシグナリングを含み、ここで、前記ＰＣ５インターフェースがロングタームエボリューションＬＴＥに対する通信能力が第１のシグナリングに搬送される。
【００８５】
ある実施例において、前記第２のネットワークデバイスのアクセスタイプがＮＲである場合、前記第１のメッセージが第２のシグナリングを含み、ここで、前記ＰＣ５インターフェースがニューラジオＮＲに対する通信能力が第２のシグナリングに搬送される。
【００８６】
ある実施例において、前記方法は、さらに、前記第１のネットワークデバイスが前記第２のネットワークデバイスに、前記端末の前記第１のネットワークデバイス下のＰＣ５構成情報を送信することを含む。例えば、ＰＣ５構成情報がリソース構成情報を含む。
【００８７】
ある実施例において、前記方法は、さらに、前記第１のネットワークデバイスが前記第２のネットワークデバイスに、前記端末の前記第１のネットワークデバイス下に報告するＰＣ５通信要求情報を送信することを含む。例えば、ＰＣ５通信要求情報がサイドリンクＵＥ情報（ｓｉｄｅｌｉｎｋｕｅｉｎｆｏｒｍａｔｉｏｎ）を含む。
【００８８】
この実施例において、前記第１のネットワークデバイスと前記第２のネットワークデバイスとがＤＣアーキテクチャで接続される。ある応用シナリオにおいて、即ち、前記端末が前記第１のネットワークデバイスから前記第２のネットワークデバイスに切替える場合、前記第１のネットワークデバイスが第２のネットワークデバイスに前記第１のメッセージを送信する。
【００８９】
実施例四
上記の実施例と同じ発明の思想に基づいて、本願の実施例に係る情報伝送方法は、Ｄ２Ｄ又はＶ２Ｘ技術に応用されて異なるアクセスシステムｉｎｔｅｒ−ＲＡＴ下の少なくとも２つのネットワークデバイス（例えば、第１のネットワークデバイス、第２のネットワークデバイス）のうちのネットワークデバイス（例えば、第２のネットワークデバイス）を実現し、この方法は、以下のステップを含み、
第２のネットワークデバイスが第１のネットワークデバイスにより送信された、端末が使用することができるＰＣ５インターフェースの通信能力情報を示す第１のメッセージを受信することを含む。さらに、前記第１のメッセージが、前記端末が第２のネットワークデバイス制御下で使用することができるＰＣ５インターフェースの通信能力情報を示すことを含む。
【００９０】
当業者は、この実施例における第１のメッセージの説明は、前述の実施例１、実施例２、及び実施例３の説明を参照することにより理解することができ、前述の実施例１、実施例２、及び実施例３における第１のメッセージに関する説明は、この実施例に適応的に組み込むことができることを理解するであろう。
【００９１】
ある実施例において、前記第２のネットワークデバイスのアクセスタイプがＬＴＥである場合、前記第１のメッセージが第１のシグナリングを含み、ここで、前記ＰＣ５インターフェースがＬＴＥに対する通信能力が第１のシグナリングに搬送される。さらに、前記第２のネットワークデバイスが前記第２のネットワークデバイスのアクセスタイプがＬＴＥである場合、前記第１のシグナリングから、前記端末が前記第２のネットワークデバイス制御下で使用するＰＣ５インターフェースの通信能力を決定することを含み、ここで、前記第１のシグナリングは、ＬＴＥ−Ｕｕインターフェースにより制御されアクセスタイプがＬＴＥであるＰＣ５インターフェースＬＴＥ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む。
【００９２】
ある実施例において、前記第２のネットワークデバイスのアクセスタイプがＮＲである場合、前記第１のメッセージが第２のシグナリングを含み、ここで、前記ＰＣ５インターフェースがニューラジオＮＲに対する通信能力が第２のシグナリングに搬送される。さらに、前記第２のネットワークデバイスが前記第２のネットワークデバイスのアクセスタイプがＮＲである場合、前記第２のシグナリングから、前記端末が前記第２のネットワークデバイス制御に使用するＰＣ５インターフェースの通信能力を決定することを含み、ここで、前記第２のシグナリングは、ＮＲ−Ｕｕインターフェースにより制御されアクセスタイプがＮＲであるＰＣ５インターフェースＮＲ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む。
【００９３】
この実施例において、前記第１のネットワークデバイスと前記第２のネットワークデバイスとがＤＣアーキテクチャで接続される。ある応用シナリオにおいて、即ち、前記端末が前記第１のネットワークデバイスから前記第２のネットワークデバイスに切替える場合、前記第１のネットワークデバイスが第２のネットワークデバイスに前記第１のメッセージを送信する。
【００９４】
実施例五
この実施例は、上記の実施例と同じ発明の思想に基づいて、以下の具体的な実施例によって、上述の２つの実施例の技術案を説明する。この実施例では、図１に示すアーキテクチャと合わせて、車載端末Ａはｉｎｔｅｒ−ＲＡＴシステムの下にあり、したがって、車載端末Ａはネットワークデバイス１およびネットワークデバイス２に同時にアクセスし、この実施例では、技術案を明確に説明するために、ネットワークデバイス１のアクセスタイプをＬＴＥ、ネットワークデバイス２のアクセスタイプをＮＲとし、当業者は、ネットワークデバイス１のアクセスタイプがＮＲであり、ネットワークデバイス２のアクセスタイプがＬＴＥである場合に、この実施例の技術案を同様に適用できることが理解されよう。
【００９５】
具体例一
図５Ａを参照すると、本願の実施例による情報伝送方法の具体的な実施フローを示し、以下のステップを含む。
【００９６】
Ｓ５０１において、車載端末Ａは、自身に関するＰＣ５インターフェースの通信能力情報を第１のシグナリング、第２のシグナリング及び第３のシグナリングにそれぞれ搬送し、
なお、この具体例において、車載端末ＡのＰＣ５インターフェース関する通信能力情報は、前記ＰＣ５インターフェースのアクセスタイプを示す第１の指示情報、及び／又は、前記ＰＣ５インターフェースを制御することができるＵｕインターフェースアクセスタイプを示す第２の指示情報を含む。なお、第１の指示情報及び第２の指示情報の具体的な実現は、実施例１における対応する説明を参照してもよく、ここで説明を省略する。
【００９７】
なお、第１のシグナリング、第２のシグナリング及び第３のシグナリングは、端末がネットワークデバイスに送信する報告情報であっても良い、具体的に、車載端末ＡのＰＣ５インターフェースに関する通信能力情報において、前記ＰＣ５インターフェースがロングタームエボリューションＬＴＥに対する通信能力が第１のシグナリングに搬送され、図３に斜線塗りつぶしブロックで示し、前記ＰＣ５インターフェースがニューラジオＮＲに対する通信能力が第２のシグナリングに搬送され、図３の中ドット塗りつぶしのブロックに示し、前記ＰＣ５インターフェースがＬＴＥとＮＲのデュアル接続ＤＣに対する通信能力は、第３のシグナリングに搬送され、図３のクロスバーパディングボックスによって示す。なお、以上の３つのシグナリングに含まれる内容は、実施例１の対応する部分の説明を参照し、ここで説明を省略する。
【００９８】
Ｓ５０２において、車載端末Ａは、第１のシグナリング、第２のシグナリング及び第３のシグナリングをネットワークデバイス１に送信し、
Ｓ５０３において、ネットワークデバイス１は、自身のアクセスタイプ及び第１のシグナリング、第２のシグナリング及び第３のシグナリングに基づいて、車載端末Ａがネットワークデバイス１制御下で使用するＰＣ５インターフェースの通信能力を決定し、
Ｓ５０４において、ネットワークデバイス１は、車載端末Ａがネットワークデバイス１制御下で使用するＰＣ５インターフェースの通信能力に基づいて、車載端末Ａがネットワークデバイス２制御下で使用するＰＣ５インターフェースの通信能力を決定し、
Ｓ５０５において、ネットワークデバイス１は、車載端末Ａがネットワークデバイス２制御下で使用するＰＣ５インターフェースの通信能力をネットワークデバイス２に送信し、
なお、Ｓ５０４およびＳ５０５は、実現可能な形態において、ネットワークデバイス１が、ネットワークデバイス２の制御下で車載端末Ａが使用するＰＣ５のインターフェースの通信能力を直接決定してネットワークデバイス２に送信してもよく、また、他の実施例として、ネットワークデバイス１は、車載端末Ａがネットワークデバイス２の制御下で潜在的に使用可能なＰＣ５インターフェースの通信能力をネットワークデバイス２に決定して送信し、ネットワークデバイス２は、潜在的に使用可能な可能性があるＰＣ５インターフェースの通信能力を受信した後、ネットワークデバイス２自身のアクセスタイプを判断し、ネットワークデバイス２の制御下で車載端末Ａが実際に使用するＰＣ５インターフェースの通信能力を決定してもよい。
【００９９】
Ｓ５０４及びＳ５０５のステップから分かるように、本具体例では、ネットワークデバイス１とネットワークデバイス２との関係がマスタースレーブの関係、すなわち、ネットワークデバイス１がマスターネットワークデバイス、ネットワークデバイス２がスレーブネットワークデバイスと考えることができ、車載端末Ａが自身の制御の下で使用しているＰＣ５のインターフェースの通信能力をネットワークデバイス１とネットワークデバイス２の双方が取得した後に、車載端末Ａへのフィードバックが必要となるので、図５ ( Ｂ )を参照して、本具体例は継続して実行される。
【０１００】
Ｓ５０６：ネットワークデバイスは、車載端末Ａがネットワークデバイス制御下で使用するＰＣ５インターフェースの通信能力を車載端末Ａにフィードバックし、
Ｓ５０７：車載端末Ａは、フィードバックに基づいて、使用するＰＣ５インターフェースの通信能力を保留する。
【０１０１】
なお、図５ ( Ｂ )に示す手順において、ネットワークデバイスは、前述のネットワークデバイス１でも前述のネットワークデバイス２でもよく、２つのネットワークデバイスがそれぞれ車載端末Ａが自身の制御で使用するＰＣ５インターフェースの通信能力を車載端末Ａにフィードバックした後、車載端末Ａはフィードバックに基づいて自身が保留して使用しているＰＣ５インターフェースの通信能力を決定することができる。
【０１０２】
以上の手順により、図１に示したアーキテクチャの各デバイスは、自身の使用するＰＣ５のインターフェースの通信能力を把握し、各種ネットワークのカバレッジに合わせて、ＰＣ５のインターフェースの通信能力を調整することができる。
【０１０３】
なお、車載端末Ａは、フィードバックに基づいて保留して使用するＰＣ５インターフェースの通信能力を決定することに加えて、自身が使用するＰＣ５インターフェースの通信能力を予め保留するようにしてもよく、なお、前記車載端末Ａが保留して使用するＰＣ５インターフェースの通信能力については、実施例１における相応の内容説明を参照して、ここではその詳細な説明を省略する。
【０１０４】
具体例二
図６を参照すると、本願の実施例による情報伝送方法の具体的な実施フローを示し、該フローは以下のステップを含む。 
Ｓ６０１において、車載端末Ａは、自身のＰＣ５インターフェースに関する通信能力情報を、第１のシグナリング、第２のシグナリング及び第３のシグナリングにそれぞれ搬送し、
Ｓ６０１の詳細な説明は、Ｓ５０１に関する前述の具体例の詳細な説明を参照し、ここで説明を省略する
Ｓ６０２において、車載端末Ａは、第１のシグナリング及び第３のシグナリングをネットワークデバイス１に送信し、
Ｓ６０３において、車載端末Ａは、第２のシグナリングをネットワークデバイス２に送信し、
なお、車載端末は、同じアクセスタイプのネットワークデバイスに対して、対応するアクセスタイプに応じて３つタイプのシグナリングを送信することにより、各ネットワークデバイスは、受信した信号に基づいて自身が使用しているＰＣ５インターフェースの通信能力を取得することができ、異なるネットワーク種別のカバレッジで、ＰＣ５インターフェースの通信能力を調整することができる。
【０１０５】
Ｓ６０４において、ネットワークデバイス１は、第３のシグナリングに基づいて、ネットワークデバイス２に指示メッセージを送信し、
なお、この指示メッセージは、ネットワークデバイス１とネットワークデバイス２とがＤＣ接続された場合に、車載端末Ａがネットワークデバイス２の制御下で使用可能なＰＣ５インターフェースの通信能力を指示するために用いられてもよく、なお、ある実施例において、指示メッセージは、ネットワークデバイス１が直接決定してネットワークデバイス２に送信する車載端末Ａがネットワークデバイス２制御下で使用するＰＣ５インターフェースの通信能力であってもよく、他の実施例において、ネットワークデバイス１が決定してネットワークデバイス２に送信する車載端末Ａがネットワークデバイス２制御下で使用可能なＰＣ５インターフェースの通信能力であっても良く、ネットワークデバイス２が、使用可能な可能性があるＰＣ５インターフェースの通信能力を受信した後に、ネットワークデバイス２自身のアクセスタイプに応じて、車載端末Ａがネットワークデバイス２の制御下で実際に使用するＰＣ５インターフェースの通信能力を決定してもよい。
【０１０６】
Ｓ６０２〜Ｓ６０４において、車載端末Ａがネットワークデバイス１へ第１のシグナリングを送信し、ネットワークデバイス２へ第２のシグナリング及び第３のシグナリングを送信すると、ネットワークデバイス２は、受信した第３のシグナリングに基づいて、指示メッセージをネットワークデバイス１へ送信し、なお、この指示メッセージは、ネットワークデバイス１とネットワークデバイス２とがＤＣ的に接続されている場合、車載端末Ａがネットワークデバイス１の制御下で使用可能なＰＣ５インターフェースの通信能力を示す。
【０１０７】
この具体例によれば、各ネットワークデバイスは、車載端末Ａが送信したシグナリングをそれぞれ受信するので、各ネットワークデバイスは、自身が受信したシグナリングに基づいて、車載端末Ａが自身の制御下で使用するＰＣ５インターフェースの通信能力を取得し、そして、各ネットワークデバイスは、車載端末Ａが自身の制御下で使用しているＰＣ５インターフェースの通信能力を車載端末Ａにフィードバックすることで、車載端末Ａは、フィードバックされた各ネットワークデバイスが自身で使用しているＰＣ５インターフェースの通信能力から、車載端末ＡがＰＣ５インターフェースの通信能力を保留して使用することを判断することができる。このプロセスの具体的な説明は、前述の具体例１に記載のＳ５０６及びＳ５０７を参照してもよく、ここで説明を省略する。
【０１０８】
実施例六
上記の実施例と同じ発明の思想に基づいて、図７を参照し、本願の実施例における端末７０の構成図を示し、第１の送信部７０１を備え、第１の送信部７０１は、端末のＰＣ５インターフェースに関する通信能力情報を含む第１のメッセージをネットワークデバイスに送信するように構成される。
【０１０９】
例示的に、前記端末のＰＣ５インターフェースに関する通信能力情報は、前記端末がサポートする第１のネットワークデバイス制御下のＰＣ５インターフェースの通信能力と前記端末がサポートする第２のネットワークデバイス制御下のＰＣ５インターフェースの通信能力との組合せを含み、ここで、前記第１のネットワークデバイスと前記第２のネットワークデバイスがデュアル接続アーキテクチャで接続される。
【０１１０】
例示的に、前記第１のネットワークデバイスと前記第２のネットワークデバイスとは、互いに同期される。
【０１１１】
例示的に、前記第１のネットワークデバイスと前記第２のネットワークデバイスとは、互いに同期されない。
【０１１２】
例示的に、前記第１のネットワークデバイスと前記第２のネットワークデバイスのアクセスタイプは、ＬＴＥである。
【０１１３】
例示的に、前記第１のネットワークデバイスと前記第２のネットワークデバイスのアクセスタイプは、ＮＲである。
【０１１４】
例示的に、前記第１のネットワークデバイスのアクセスタイプがＬＴＥであり、前記第２のネットワークデバイスのアクセスタイプがＮＲである。
【０１１５】
例示的に、前記端末のＰＣ５インターフェースに関する通信能力情報は、
前記ＰＣ５インターフェースのアクセスタイプを示す第１の指示情報、及び／又は、前記ＰＣ５インターフェースを制御することができるＵｕインターフェースアクセスタイプを示す第２の指示情報を含む。
【０１１６】
例示的に、前記第１のメッセージに含まれる前記端末のＰＣ５インターフェースに関する通信能力情報において、
前記ＰＣ５インターフェースがロングタームエボリューションＬＴＥに対する通信能力が第１のシグナリングに搬送され、
前記ＰＣ５インターフェースがニューラジオＮＲに対する通信能力が第２のシグナリングに搬送され、
前記ＰＣ５インターフェースがＬＴＥとＮＲのデュアル接続ＤＣに対する通信能力は、第３のシグナリングに搬送される。
【０１１７】
例示的に、前記第１のメッセージに含まれる前記端末のＰＣ５インターフェースに関する通信能力情報のうち、前記ＰＣ５インターフェースがＬＴＥとＬＴＥのデュアル接続に対する通信組合せは、第１のシグナリングに搬送される。
【０１１８】
例示的に、前記第１のメッセージに含まれる前記端末のＰＣ５インターフェースに関する通信能力情報のうち、前記ＰＣ５インターフェースがＬＴＥとＬＴＥのデュアル接続に対する通信能力組合せは、第３のシグナリングに搬送される。
【０１１９】
例示的に、前記第１のメッセージに含まれる前記端末のＰＣ５インターフェースに関する通信能力情報のうち、前記ＰＣ５インターフェースがＬＴＥとＬＴＥのデュアル接続に対する通信能力組合せは、第４のシグナリングに搬送される。
【０１２０】
例示的に、前記第１のメッセージに含まれる前記端末のＰＣ５インターフェースに関する通信能力情報のうち、前記ＰＣ５インターフェースがＮＲとＮＲのデュアル接続に対する通信能力組合せは、第２のシグナリングに搬送される。
【０１２１】
例示的に、前記第１のメッセージに含まれる前記端末のＰＣ５インターフェースに関する通信能力情報のうち、前記ＰＣ５インターフェースがＮＲとＮＲのデュアル接続に対する通信能力組合せは、第３のシグナリングに搬送される。
【０１２２】
例示的に、前記第１のメッセージに含まれる前記端末のＰＣ５インターフェースに関する通信能力情報のうち、前記ＰＣ５インターフェースがＮＲとＮＲのデュアル接続に対する通信能力組合せは、第５のシグナリングに搬送される。
【０１２３】
上記の例において、前記第１のシグナリングは、
ＬＴＥ−Ｕｕインターフェースにより制御されアクセスタイプがＬＴＥであるＰＣ５インターフェースＬＴＥ−ＰＣ５の通信能力情報、
ＮＲ−Ｕｕインターフェースにより制御されアクセスタイプがＬＴＥであるＰＣ５インターフェースＬＴＥ−ＰＣ５の通信能力情報、
ＬＴＥ−Ｕｕインターフェースにより制御されアクセスタイプがＮＲであるＰＣ５インターフェースＮＲ−ＰＣ５の通信能力情報のうちの少なくとも１つを含む。
【０１２４】
上記の例において、前記第２のシグナリングは、
ＮＲ−Ｕｕインターフェースにより制御されアクセスタイプがＮＲであるＰＣ５インターフェースＮＲ−ＰＣ５の通信能力情報、
ＮＲ−Ｕｕインターフェースにより制御されアクセスタイプがＬＴＥであるＰＣ５インターフェースＬＴＥ−ＰＣ５の通信能力情報、
ＬＴＥ−Ｕｕインターフェースにより制御されアクセスタイプがＮＲであるＰＣ５インターフェースＮＲ−ＰＣ５の通信能力情報のうちの少なくとも１つを含む。
【０１２５】
上記の例において、前記第３のシグナリングは、
ＬＴＥ−Ｕｕインターフェース通信能力情報、
ＮＲ−Ｕｕインターフェース通信能力情報、
ＮＲ−Ｕｕインターフェースにより制御されアクセスタイプがＮＲであるＰＣ５インターフェースＮＲ−ＰＣ５の通信能力情報、
ＬＴＥ−Ｕｕインターフェースにより制御されアクセスタイプがＬＴＥであるＰＣ５インターフェースＬＴＥ−ＰＣ５の通信能力情報、
ＮＲ−Ｕｕインターフェースにより制御されアクセスタイプがＬＴＥであるＰＣ５インターフェースＬＴＥ−ＰＣ５の通信能力情報、
ＬＴＥ−Ｕｕインターフェースにより制御されアクセスタイプがＮＲであるＰＣ５インターフェースＮＲ−ＰＣ５の通信能力情報のうちの少なくとも２つの組合せを含む。
【０１２６】
上記の例において、前記第３のシグナリングが通信能力を示す識別子情報をさらに含み、前記通信能力の識別子情報が前記第１のシグナリング及び／又は第２のシグナリングに定義される通信能力情報を示す。
【０１２７】
上記の形態において前記第３のシグナリングは、さらに、端末デバイスが互いに同期されるＬＴＥ−ＵｕとＮＲ−Ｕｕのデュアル接続アーキテクチャをサポートすることを指示する識別子情報を含む。
【０１２８】
上記の形態において前記第３のシグナリングは、さらに、端末デバイスが互いに同期されないＬＴＥ−ＵｕとＮＲ−Ｕｕのデュアル接続アーキテクチャをサポートすることを指示する識別子情報を含む。
【０１２９】
上記の形態において前記ＰＣ５インターフェースがＬＴＥとＬＴＥのデュアル接続に対する通信能力は、端末デバイスが互いに同期されるＬＴＥ−ＵｕとＬＴＥ−Ｕｕのデュアル接続アーキテクチャをサポートすることを指示する識別子情報を含む。
【０１３０】
上記の形態において前記ＰＣ５インターフェースがＬＴＥとＬＴＥのデュアル接続に対する通信能力は、端末デバイスが互いに同期されないＬＴＥ−ＵｕとＬＴＥ−Ｕｕのデュアル接続アーキテクチャをサポートすることを指示する識別子情報を含む。
【０１３１】
上記の形態において前記ＰＣ５インターフェースがＮＲとＮＲのデュアル接続に対する通信能力は、端末デバイスが互いに同期されるＮＲ−ＵｕとＮＲ−Ｕｕのデュアル接続アーキテクチャをサポートすることを指示する識別子情報を含む。
【０１３２】
上記の形態において前記ＰＣ５インターフェースがＮＲとＮＲのデュアル接続に対する通信能力は、端末デバイスが互いに同期されないＮＲ−ＵｕとＮＲ−Ｕｕのデュアル接続アーキテクチャをサポートすることを指示する識別子情報を含む。
【０１３３】
上記の形態において、前記第１の送信部７０１は、少なくとも２つのネットワークデバイスのうちの１つの目標ネットワークデバイスに前記第１のシグナリング、前記第２のシグナリング及び前記第３のシグナリングを送信するように構成される。
【０１３４】
上記の形態において、前記第１の送信部７０１は、
アクセスタイプがＬＴＥである第１のネットワークデバイスに前記第１のシグナリングを送信し、
アクセスタイプがＮＲである第２のネットワークデバイスに前記第２のシグナリングを送信し、
前記第１のネットワークデバイス又は第２のネットワークデバイスに前記第３のシグナリングを送信するように構成される。
【０１３５】
上記の形態において、第１の送信部７０１は、第１のネットワークデバイス及び／又は第２のネットワークデバイスに前記ＰＣ５インターフェースがＬＴＥとＬＴＥのデュアル接続に対する通信組合せを送信するように構成され、前記第１の及び第２のネットワークデバイスがＬＴＥとＬＴＥのデュアル接続アーキテクチャを構成する。
【０１３６】
上記の形態において、第１の送信部７０１は、第１のネットワークデバイス及び／又は第２のネットワークデバイスに前記ＰＣ５インターフェースがＮＲとＮＲのデュアル接続に対応する通信組合せを送信するように構成され、前記第１の及び第２のネットワークデバイスがＮＲとＮＲのデュアル接続アーキテクチャを構成する。
【０１３７】
上記の形態において、図８を参照し、前記端末７０は、さらに、第１の受信部７０２を含み、第１の受信部７０２は、前記ネットワークデバイスにより送信された第２のメッセージを受信するように構成され、ここで、前記第２のメッセージは、前記端末が前記ネットワークデバイス制御下で使用するＰＣ５インターフェースの通信能力を示す。
【０１３８】
上記の形態において、図８を参照し、前記端末７０は、さらに、第１の受信部７０２を含み、第１の受信部７０２は、前記ネットワークデバイスにより送信された第３のメッセージを受信するように構成され、ここで、前記第３のメッセージは、前記ネットワークデバイスが制御するＰＣ５インターフェースの通信能力を示す。さらに、前記ネットワークデバイスが制御するＰＣ５インターフェースの通信能力は、前記ネットワークデバイスが制御するＰＣ５インターフェースのＲＡＴを含む。
【０１３９】
上記の形態において前記端末７０は、さらに、判定部を含み（図示せず）、判定部は、前記第３のメッセージに基づいて、
ＬＴＥ−Ｕｕインターフェースにより制御されアクセスタイプがＬＴＥであるＰＣ５インターフェースＬＴＥ−ＰＣ５の通信能力情報、
ＮＲ−Ｕｕインターフェースにより制御されアクセスタイプがＬＴＥであるＰＣ５インターフェースＬＴＥ−ＰＣ５の通信能力情報、
ＬＴＥ−Ｕｕインターフェースにより制御されアクセスタイプがＮＲであるＰＣ５インターフェースＮＲ−ＰＣ５の通信能力情報、
ＮＲ−Ｕｕインターフェースにより制御されアクセスタイプがＮＲであるＰＣ５インターフェースＮＲ−ＰＣ５の通信能力情報のうちの少なくとも１つを報告するかどうかを決定するように構成される。
【０１４０】
上記の形態において、図８を参照し、前記端末７０がさらに、第１の決定部７０３を含み、第１の決定部７０３は、前記第２のメッセージに示す、前記端末が前記ネットワークデバイス制御下で使用するＰＣ５インターフェースの通信能力に基づいて、前記端末が使用するＰＣ５インターフェースの通信能力を決定するように構成される。
【０１４１】
上記の形態において、図８を参照し、前記端末７０がさらに、第２の決定部７０４を含み、第２の決定部７０４は、前記第１の送信部７０１が前記ネットワークデバイスに第１のメッセージを送信する前に、前記端末が使用するＰＣ５インターフェースの通信能力を自身で決定するように構成される。
【０１４２】
上記の形態において、前記端末が使用するＰＣ５インターフェースの通信能力情報は、
前記端末が前記ネットワークデバイス以外の他のネットワークデバイスに報告する必要があるＰＣ５インターフェースに関する通信能力情報、
及び／又は、前記端末が前記ネットワークデバイス制御以外で使用するＰＣ５インターフェースの通信能力を含む。
【０１４３】
上記の形態において、前記報告情報に含まれないＰＣ５インターフェースに関する通信能力は、前記端末が前記ネットワークデバイス制御下で使用するＰＣ５インターフェースの通信能力である。
【０１４４】
上記の形態において前記ネットワークデバイス制御下のＰＣ５インターフェースの通信優先度は、前記端末が前記ネットワークデバイス制御以外で使用するＰＣ５インターフェースの通信よりも高い。
【０１４５】
なお、この実施例において、「部分」とは、回路の一部、プロセッサの一部、プログラムの一部、ソフトウェアの一部等が考えられ、ユニットであってもよいし、モジュールであってもよいし、非モジュールであってもよい。
【０１４６】
また、この実施例における各構成要素は、１つの処理ユニットに集積されてもよいし、各ユニットが物理的に個別に存在してもよいし、２つ以上のユニットが１つのユニットに集積されてもよい。上記統合されたユニットは、ハードウェアの形態で実現されてもよく、ソフトウェア機能ブロックの形態で実現されてもよい。
【０１４７】
統合されたユニットが、ソフトウェア機能モジュールの形態で実現され、スタンドアロン製品として販売または使用されない場合、コンピュータ可読記憶媒体に記憶されてもよく、そのような理解に基づいて、この実施例の技術案は、本質的に、または、従来技術に貢献する部分、または、そのすべてまたは一部が、記憶媒体に記憶されたコンピュータソフトウェア製品の形態で具体化されてもよく、その命令は、１つのコンピュータデバイス(パーソナルコンピュータ、サーバ、またはネットワークデバイスなどであってもよい)またはｐｒｏｃｅｓｓｏｒ (プロセッサ)に、この実施例において説明された方法のステップのすべてまたは一部を実行させる。また、前記記憶媒体としては、U-ディスク、ポータブルハードディスク、ＲＯＭ ( Ｒｅａｄ Ｏｎｌｙ Ｍｅｍｏｒｙ )、ＲＡＭ （ Ｒａｎｄｏｍ Ａｃｃｅｓｓ Ｍｅｍｏｒｙ )、磁気ディスク、光ディスクなど種々のプログラムコードを記憶できるものを含む。
【０１４８】
従って、この実施例は、少なくとも１つのプロセッサによって実行されると、上記実施例の情報伝送方法のステップを実施する情報送信プログラムを記憶したコンピュータ記憶媒体を提供する。
【０１４９】
上述した端末７０及びコンピュータ記憶媒体に基づいて、図９を参照すると、本願の実施例による端末７０の具体的なハードウェア構成が示されており、第１のネットワークインターフェース９０１、第１のメモリ９０２、及び第１のプロセッサ９０３を含み、各構成要素はバスシステム９０４によって互いに結合されている。バスシステム９０４は、これらの構成要素間の接続通信を可能にするために使用されることが理解されよう。バスシステム９０４は、データバスの他に、電源バス、制御バス、ステータス信号バスを含む。しかしながら、様々なバスは、明確するために、図９ではバスシステム９０４として参照される。ここで、第１のネットワークインターフェース９０１は、他の外部ネットワーク要素との間で情報を送受信する過程において、信号の受信と送信を行うために用いられ
第１のメモリ９０２は、第１のプロセッサ９０３上で実行可能なコンピュータプログラムを記憶し、
第１のプロセッサ９０３は、前記コンピュータプログラムを実行する場合、
端末のＰＣ５インターフェースに関する通信能力情報を含む第１のメッセージをネットワークデバイスに送信する。
【０１５０】
本願の実施例における第１のメモリ９０２は、揮発性メモリ又は不揮発性メモリであるか、又は揮発性メモリ及び不揮発性メモリの両方を含み得ることが理解される。ここで、不揮発性メモリは、Ｒｅａｄ−Ｏｎｌｙ Ｍｅｍｏｒｙ、Ｐｒｏｇｒａｍｍａｂｌｅ ＲＯＭ、Ｅｒａｓａｂｌｅ ＰＲＯＭ、Ｅｌｅｃｔｒｉｃａｌｌｙ ＥＰＲＯＭ、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってもよい。限定ではなく例示として、静的ランダムアクセスメモリ( Ｓｔａｔｉｃ ＲＡＭ、ＳＲＡＭ )、動的ランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲＳＤＲＡＭ )、強化シンクロナスダイナミックランダムアクセスメモリ( Ｅｎｈａｎｃｅｄ ＳＤＲＡＭ、ＥＳＤＲＡＭ )、シンクロナスリンクダイナミックランダムアクセスメモリ( Ｓｙｎｃｈｌｉｎｋ ＤＲＡＭ、ＳＬＤＲＡＭ )、およびダイレクトメモリバスランダムアクセスメモリ( Ｄｉｒｅｃｔ  Ｒａｍｂｕｓ  ＲＡＭ、ＤＲＲＡＭ )など、多くの形態のＲＡＭが利用可能である。本明細書で説明するシステムおよび方法の第１のメモリ９０２は、これらおよび任意の他の適切なタイプのメモリを含むことが意図されるが、これらに限定されない。
【０１５１】
第１のプロセッサ９０３は、信号の処理能力を有する集積回路チップであってもよい。実装において、上述した方法のステップは、第１のプロセッサ９０３内のハードウェアの集積論理回路又はソフトウェアの形態の命令によって実行されてもよい。上述した第１のプロセッサ９０３は、汎用プロセッサ、ＤＳＰ、ＡＳＩＣ、ＦＰＧＡ、または他のプログラマブル論理デバイス、ディスクリートゲートまたはトランジスタ論理デバイス、ディスクリートハードウェアコンポーネントであってもよい。本願の実施例に開示された方法、ステップ、及び論理ブロック図は、具現されたり実行されたりすることができる。汎用プロセッサは、マイクロプロセッサであってもよいし、任意の従来のプロセッサなどであってもよい。本願の実施例に関連して開示される方法のステップは、ハードウェアの復号プロセッサによって実行されるように直接具現化されてもよく、又は復号プロセッサ内のハードウェア及びソフトウェアモジュールの組み合わせによって実行されるように具現化されてもよい。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で周知の記憶媒体内に配置され得る。記憶媒体は第１のメモリ９０２に配置され、第１のプロセッサ９０３は第１のメモリ９０２から情報を読み取り、そのハードウェアとともに上述の方法のステップを実行する。
【０１５２】
本明細書に記載される実施例は、ハードウェア、ソフトウェア、ファームウェア、ミドルウェア、マイクロコード、またはそれらの組合せで実装されてもよいことが理解される。ハードウェア実装形態の場合、処理ユニットは、１つまたは複数の特定用途向け集積回路( ＡＳＩＣ )、デジタル信号プロセッサ( ＤＳＰ )、デジタル信号処理デバイス( ＤＳＰ Ｄｅｖｉｃｅ、ＤＳＰＤ )、プログラマブル論理デバイス( ＰＬＤ )、ＦＰＧＡ、汎用プロセッサ、コントローラ、マイクロコントローラ、マイクロプロセッサ、本明細書で説明する機能を実行するための他の電子ユニット、またはそれらの組合せで実装され得る。
【０１５３】
ソフトウェア実装の場合、本明細書に説明される技術は、本明細書に説明される機能を実行するモジュール(例えば、手順、関数など)によって実装され得る。ソフトウェアコードは、メモリに格納され、プロセッサによって実行され得る。メモリは、プロセッサ内に実装されても、プロセッサの外部に実装されてもよい。
【０１５４】
具体的には、端末９０の第１のプロセッサ９０３は、さらに、コンピュータプログラムを実行するように構成されている場合、前述の実施例１に記載の方法ステップを実行し、ここでその説明が省略される。
【０１５５】
実施例七
上記の実施例と同じ発明の思想に基づいて、図１０を参照し、本願の実施例におけるネットワークデバイス１００の構成を示し、第２の受信部１００１及び第２の送信部１００２を備え、ここで、前記第２の受信部１００１は、端末により送信された、前記端末のＰＣ５インターフェースに関する通信能力情報を含む第１のメッセージを受信するように構成され、
前記第２の送信部１００２は、前記端末が前記ネットワークデバイス制御下で使用するＰＣ５インターフェースの通信能力を示す第２のメッセージを、前記端末に送信するように構成される。
【０１５６】
例示的に、前記第１のメッセージが第１のシグナリング、第２のシグナリング及び第３のシグナリングを含み、ここで、前記ＰＣ５インターフェースがロングタームエボリューションＬＴＥに対する通信能力が第１のシグナリングに搬送され、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される。
【０１５７】
例示的に、前記ネットワークデバイスのアクセスタイプがＬＴＥである場合、前記第１のメッセージが第１のシグナリング及び第３のシグナリングを含み、ここで、前記ＰＣ５インターフェースがロングタームエボリューションＬＴＥに対する通信能力が第１のシグナリングに搬送され、前記ＰＣ５インターフェースがＬＴＥとＮＲのデュアル接続ＤＣに対する通信能力は、第３のシグナリングに搬送され、
例示的に、前記ネットワークデバイスのアクセスタイプがＮＲである場合、前記第１のメッセージが第２のシグナリング及び第３のシグナリングを含み、ここで、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される。
【０１５８】
以上の３つの例において、前記第２の送信部１００２は、さらに、前記第２の受信部１００１が前記端末からの第１のメッセージを受信した後、前記ネットワークデバイス以外の他のネットワークデバイスに第１の指示メッセージを送信するように構成され、ここで、前記第１の指示メッセージは、前記ネットワークデバイスと前記他のネットワークデバイスとがデュアル接続ＤＣアーキテクチャで接続される場合、前記端末が前記他のネットワークデバイス制御下で使用することができるＰＣ５インターフェースの通信能力情報を示す。
【０１５９】
例示的に、前記ネットワークデバイスのアクセスタイプがＬＴＥである場合、前記第１のメッセージが第１のシグナリングを含み、ここで、前記ＰＣ５インターフェースがロングタームエボリューションＬＴＥに対する通信能力が第１のシグナリングに搬送され、
例示的に、前記ネットワークデバイスのアクセスタイプがＮＲである場合、前記第１のメッセージが第２のシグナリングを含み、ここで、前記ＰＣ５インターフェースがニューラジオＮＲに対する通信能力が第２のシグナリングに搬送される。
【０１６０】
上記の２つの例において、前記第２の受信部１００１は、さらに、
前記ネットワークデバイス以外の他のネットワークデバイスにより送信された第２の指示メッセージを受信するように構成され、ここで、前記第２の指示メッセージは、前記ネットワークデバイスと前記他のネットワークデバイスとがデュアル接続ＤＣアーキテクチャで接続される場合、前記端末が前記ネットワークデバイス制御下で使用することができるＰＣ５インターフェースの通信能力情報を示す。
【０１６１】
上記の２つの例に基づいて、前記ネットワークデバイス以外の他のネットワークデバイスが存在しない場合、任意選択で、決定部を含み、決定部は、前記ネットワークデバイスのアクセスタイプがＬＴＥである場合、前記第１のシグナリングから、前記端末が前記ネットワークデバイス制御下で使用するＰＣ５インターフェースの通信能力を決定するように構成され、ここで、前記第１のシグナリングは、ＬＴＥ−Ｕｕインターフェースにより制御されアクセスタイプがＬＴＥであるＰＣ５インターフェースＬＴＥ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む。
【０１６２】
又は、決定部は、選択可能で、前記ネットワークデバイスのアクセスタイプがＮＲである場合、前記第２のシグナリングから、前記端末が前記ネットワークデバイス制御下で使用するＰＣ５インターフェースの通信能力を決定するように構成され、ここで、前記第２のシグナリングは、ＮＲ−Ｕｕインターフェースにより制御されアクセスタイプがＮＲであるＰＣ５インターフェースＮＲ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む。
【０１６３】
実施例八
上記の実施例と同じ発明の思想に基づいて、本願の実施例におけるネットワークデバイスの構成を示し、このネットワークデバイスを第１のネットワークデバイスと言われ、送信部を備え、
送信部は、第２のネットワークデバイスに第１のメッセージを送信するように構成され、ここで、前記第１のメッセージが、端末が使用することができるＰＣ５インターフェースの通信能力情報を示し、さらに、前記第１のメッセージが、前記端末が第２のネットワークデバイス制御下で使用することができるＰＣ５インターフェースの通信能力情報を示すことを含む。
【０１６４】
例示的に、前記第１のメッセージが第１のシグナリング、第２のシグナリング及び第３のシグナリングを含み、ここで、前記ＰＣ５インターフェースがロングタームエボリューションＬＴＥに対する通信能力が第１のシグナリングに搬送され、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される。
【０１６５】
例示的に、前記第２のネットワークデバイスのアクセスタイプがＬＴＥである場合、前記第１のメッセージが第１のシグナリング及び第３のシグナリングを含み、ここで、前記ＰＣ５インターフェースがロングタームエボリューションＬＴＥに対する通信能力が第１のシグナリングに搬送され、前記ＰＣ５インターフェースがＬＴＥとＮＲのデュアル接続ＤＣに対する通信能力は、第３のシグナリングに搬送される。
【０１６６】
例示的に、前記第２のネットワークデバイスのアクセスタイプがＮＲである場合、前記第１のメッセージが第２のシグナリング及び第３のシグナリングを含み、ここで、前記ＰＣ５インターフェースがニューラジオＮＲに対する通信能力が第２のシグナリングに搬送され、前記ＰＣ５インターフェースがＬＴＥとＮＲのデュアル接続ＤＣに対する通信能力は、第３のシグナリングに搬送される。
【０１６７】
例示的に、前記第２のネットワークデバイスのアクセスタイプがＬＴＥである場合、前記第１のメッセージが第１のシグナリングを含み、ここで、前記ＰＣ５インターフェースがロングタームエボリューションＬＴＥに対する通信能力が第１のシグナリングに搬送される。
【０１６８】
例示的に、前記第２のネットワークデバイスのアクセスタイプがＮＲである場合、前記第１のメッセージが第２のシグナリングを含み、ここで、前記ＰＣ５インターフェースがニューラジオＮＲに対する通信能力が第２のシグナリングに搬送される。
【０１６９】
例示的に、前記送信部は、さらに、前記第２のネットワークデバイスに、前記端末の前記第１のネットワークデバイスでのＰＣ５構成情報を送信するように構成される。例えば、ＰＣ５構成情報がリソース構成情報を含む。
【０１７０】
例示的に、前記送信部は、さらに、前記第２のネットワークデバイスに、前記端末の前記第１のネットワークデバイスで報告されたＰＣ５通信要求情報を送信するように構成される。例えば、ＰＣ５通信要求情報は、サイドリンクＵＥ情報（ｓｉｄｅｌｉｎｋｕｅｉｎｆｏｒｍａｔｉｏｎ）を含む。
【０１７１】
例示的に、前記第１のネットワークデバイスと前記第２のネットワークデバイスとがＤＣアーキテクチャで接続される。
【０１７２】
例示的に、前記端末が前記第１のネットワークデバイスから前記第２のネットワークデバイスに切替える場合、前記送信部が第２のネットワークデバイスに前記第１のメッセージを送信する。
【０１７３】
実施例九
上記の実施例と同じ発明の思想に基づいて、本願の実施例におけるネットワークデバイスの構成を示し、このネットワークデバイスを第２のネットワークデバイスと言われ、受信部を備え、
受信部は、第１のネットワークデバイスからの第１のメッセージを受信するように構成され、ここで、前記第１のメッセージは、端末が使用することができるＰＣ５インターフェースの通信能力情報を示す。さらに、前記第１のメッセージが、前記端末が第２のネットワークデバイス制御下で使用することができるＰＣ５インターフェースの通信能力情報を示す。
【０１７４】
例示的に、前記第２のネットワークデバイスのアクセスタイプがＬＴＥである場合、前記第１のメッセージが第１のシグナリングを含み、ここで、前記ＰＣ５インターフェースがロングタームエボリューションＬＴＥに対する通信能力が第１のシグナリングに搬送される。
【０１７５】
例示的に、前記第２のネットワークデバイスのアクセスタイプがＮＲである場合、前記第１のメッセージが第２のシグナリングを含み、ここで、前記ＰＣ５インターフェースがニューラジオＮＲに対する通信能力が第２のシグナリングに搬送される。
【０１７６】
例示的に、前記ネットワークデバイスは、さらに、決定部を備え、前記決定部は、前記第２のネットワークデバイスのアクセスタイプがＬＴＥである場合、前記第１のシグナリングから、前記端末が前記第２のネットワークデバイス制御下で使用するＰＣ５インターフェースの通信能力を決定するように構成され、ここで、前記第１のシグナリングは、ＬＴＥ−Ｕｕインターフェースにより制御されアクセスタイプがＬＴＥであるＰＣ５インターフェースＬＴＥ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む。
【０１７７】
例示的に、前記ネットワークデバイスは、さらに、決定部を備え、決定部は、前記第２のネットワークデバイスのアクセスタイプがＮＲである場合、前記第２のシグナリングから、前記端末が前記第２のネットワークデバイス制御下で使用するＰＣ５インターフェースの通信能力を決定するように構成され、ここで、前記第２のシグナリングは、ＮＲ−Ｕｕインターフェースにより制御されアクセスタイプがＮＲであるＰＣ５インターフェースＮＲ−ＰＣ５の通信能力情報、ＮＲ−Ｕｕインターフェースにより制御されアクセスタイプがＬＴＥであるＰＣ５インターフェースＬＴＥ−ＰＣ５の通信能力情報、ＬＴＥ−Ｕｕインターフェースにより制御されアクセスタイプがＮＲであるＰＣ５インターフェースＮＲ−ＰＣ５の通信能力情報のうちの少なくとも１つを含む。
【０１７８】
例示的に、前記第１のネットワークデバイスと前記第２のネットワークデバイスとがデュアル接続ＤＣアーキテクチャで接続される。
【０１７９】
例示的に、前記端末が前記第１のネットワークデバイスから前記第２のネットワークデバイスに切替える場合、前記受信部が前記第１のネットワークデバイスからの第１のメッセージを受信する。
【０１８０】
また、この実施例は、少なくとも１つのプロセッサによって実行されると、上記実施例２に記載の方法のステップを実施する情報伝送プログラムを記憶したコンピュータ記憶媒体を提供する。コンピュータ記憶媒体の詳細な説明については、実施例３の説明を参照し、ここで説明を省略する。
【０１８１】
上述したネットワークデバイス１００及びコンピュータ記憶媒体に基づいて、図１１を参照すると、本願の実施例によるネットワークデバイス１００の具体的なハードウェア構成は、第２のネットワークインターフェース１１０１、第２のメモリ１１０２及び第２のプロセッサ１１０３を含み、各構成要素はバスシステム１１０４によって互いに結合される。バスシステム１１０４は、これらの構成要素間の接続通信を可能にするために使用されることが理解される。バスシステム１１０４は、データバスの他に、電力バス、制御バス、ステータス信号バスを含む。しかし、明確するために、様々なバスは、図１１ではバスシステム１１０４として付ける。
【０１８２】
ここで、前記第２のネットワークインターフェース１１０１は、他の外部ネットワーク要素との間で情報を送受信する過程において、信号の受信及び送信を行い、
第２のメモリ１１０２は、第２のプロセッサ１１０３上で動作可能なコンピュータプログラムを記憶し
第２のプロセッサは、前記コンピュータプログラムを実行して、
端末により送信された、前記端末のＰＣ５インターフェースに関する通信能力情報を含む第１のメッセージを受信し、
前記第１のメッセージに対して、前記端末が前記ネットワークデバイス制御下で使用するＰＣ５インターフェースの通信能力を示す第２のメッセージを、前記端末に送信する。
【０１８３】
なお、この実施例におけるネットワークデバイス１００の具体的なハードウェア構成における構成要素は、実施例３におけるものと類似するため、ここでは詳しい説明を省略する。
【０１８４】
具体的には、ネットワークデバイス１００の第２のプロセッサ１１０３は、コンピュータプログラムを実行する際に、前述の実施例２に記載の方法ステップを実行するようにさらに構成されており、ここではその説明を省略する。
【０１８５】
なお、本願の実施例に記載した技術案は、矛盾が生じない限り、任意に組み合わせることが可能である。
【０１８６】
以上のように、本願の実施例は、本願の技術的思想に基づいて説明されたが、本願は、上述の実施例に限定されるものではなく、本願の技術的思想に基づく当業者であれば、本願の技術的範囲に含まれる。したがって、本願の保護範囲は、特許請求の範囲の保護範囲を基準とする。
【図１】
2021530923.tif 000003
【図２】
2021530923.tif 000004
【図３】
2021530923.tif 000005
【図４】
2021530923.tif 000006
【図５Ａ】
2021530923.tif 000007
【図５Ｂ】
2021530923.tif 000008
【図６】
2021530923.tif 000009
【図７】
2021530923.tif 000010
【図８】
2021530923.tif 000011
【図９】
2021530923.tif 000012
【図１０】
2021530923.tif 000013
【図１１】
2021530923.tif 000014
【国際調査報告】
2021530923.tif 000015
2021530923.tif 000016
2021530923.tif 000017
2021530923.tif 000018